(57)【特許請求の範囲】
【請求項１】
光を発生する光源と、
光の透過特性の異なる複数の透過領域が周方向に配置されたカラーホイールと、
入力画像を取り込む入力手段と、
前記入力手段で入力した入力画像の各色画像信号に基づき、前記光源からの光を用いて各色毎の光像を出力する変調手段と、
前記変調手段に前記各色画像信号を送信するタイミングを制御するタイミング制御手段とを備え、
前記タイミング制御手段は、隣接し且つ透過特性の異なる前記カラーホイールの第１の透過領域と第２の透過領域の境界を前記光源からの光が透過する混色期間において、前記変調手段に前記各色画像信号を送信するタイミングを、選択されたモード毎に切換えることを特徴とする投影型表示装置。
【請求項２】
前記カラーホイールは、光の三原色のうちの対応する１つの色に着色された透過領域と、光の三原色の各補色のうちの対応する１つの色に着色された透過領域とを含み、これらの透過領域が周方向に配列されて配置されており、前記原色の透過領域と前記原色の透過領域との間には、両原色の中間色に相当する補色の透過領域が配置されている、
ことを特徴とする請求項１に記載の投影型表示装置。
【請求項３】
前記カラーホイールは、前記補色の透過領域の中心角が、前記原色の透過領域の中心角以下となるように構成する
ことを特徴とする請求項２に記載の投影型表示装置。
【請求項４】
前記タイミング変更手段は、前記第１の透過領域の色に対応する前記色画像信号に基づいて前記光を変調する期間を指定できる
ことを特徴とする請求項１乃至３のいずれか１項に記載の投影型表示装置。
【請求項５】
前記タイミング変更手段は、前記第２の透過領域に色に対応する前記色画像信号に基づいて前記光を変調する期間を指定できる
ことを特徴とする請求項１乃至３のいずれか１項に記載の投影型表示装置。
【請求項６】
前記タイミング変更手段は、輝度画像信号に基づいて前記光を変調する期間を指定できる
ことを特徴とする請求項１乃至３のいずれか１項に記載の投影型表示装置。
【請求項７】
前記カラーホイールは、赤、青、緑の光の３原色にそれぞれ着色された透過領域と、白色光を透過する着色されていない透過領域との４つの透過領域が周方向に配列されて配置されている、
ことを特徴とする請求項１に記載の投影型表示装置。
【請求項８】
光を発生する光源と、
光の透過特性の異なる複数の透過領域が周方向に配置されたカラーホイールと、
入力画像を取り込む入力手段と、
前記入力手段で入力した入力画像の各色画像信号に基づき、前記光源からの光を用いて各色毎の光像を出力する変調手段と、
を有する投影型表示装置の制御方法において、
前記変調手段に前記各色画像信号を送信するタイミングを制御するタイミング制御工程を備え、
前記タイミング制御手段は、隣接し且つ透過特性の異なる前記カラーホイールの第１の透過領域と第２の透過領域の境界を前記光源からの光が透過する混色期間において、前記変調手段に前記各色画像信号を送信するタイミングを、選択されたモード毎に切換えることを特徴とする投影型表示装置の制御方法。
【請求項９】
前記カラーホイールは、光の三原色のうちの対応する１つの色に着色された透過領域と、光の三原色の各補色のうちの対応する１つの色に着色された透過領域とを含み、これらの透過領域が周方向に配列されて配置されており、前記原色の透過領域と前記原色の透過領域との間には、両原色の中間色に相当する補色の透過領域が配置されている、
ことを特徴とする請求項８に記載の投影型表示装置の制御方法。
【請求項１０】
前記カラーホイールは、前記補色の透過領域の中心角が、前記原色の透過領域の中心角以下となるように構成する
ことを特徴とする請求項９に記載の投影型表示装置の制御方法。
【請求項１１】
光を発生する光源と、光の透過特性の異なる複数の透過領域が周方向に配置されたカラーホイールと、入力画像を取り込む入力手段と、前記入力手段で入力した入力画像の各色画像信号に基づき、前記光源からの光を用いて光像を形成する変調手段と、を備えるコンピュータを、
前記変調手段に前記各色画像信号を送信するタイミングを制御するタイミング制御手段として機能させ、
前記タイミング制御手段は、隣接し且つ透過特性の異なる前記カラーホイールの第１の透過領域と第２の透過領域の境界を前記光源からの光が透過する混色期間において、前記変調手段に前記各色画像信号を送信するタイミングを選択されたモード毎に切換えるプログラム。
【請求項１２】
前記カラーホイールは、光の三原色のうちの対応する１つの色に着色された透過領域と、光の三原色の各補色のうちの対応する１つの色に着色された透過領域とを含み、これらの透過領域が周方向に配列されて配置されており、前記原色の透過領域と前記原色の透過領域との間には、両原色の中間色に相当する補色の透過領域が配置されている、
ことを特徴とする請求項１１に記載のプログラム。
【請求項１３】
前記カラーホイールは、前記補色の透過領域の中心角が、前記原色の透過領域の中心角以下となるように構成する
ことを特徴とする請求項１２に記載のプログラム。
【発明の詳細な説明】
【技術分野】
【０００１】
本発明は、プロジェクタ等の投影型表示装置及びその表示制御方法に関し、詳しくは、カラー画像をスクリーンなどに拡大投影する投影型表示装置及びその表示制御方法に関する。
【背景技術】
【０００２】
日常、我々が目にする色は、絵の具や塗料などで表現された物体の色（物体色）と、投影型表示装置やテレビ受信機又はパソコンディスプレイなどの表示画面上に光の三原色で表現された光の色（光源色）の二種類である。
【０００３】
物体色と光源色の違いの一つは原色の組み合わせにある。物体色の原色は、赤紫（マゼンタ又はその英語表記のMagentaを略して“Ｍ”という）、黄（イエロー又はその英語表記のYellowを略して“Ｙ”という）、青緑（シアン又はその英語表記のCyanを略して“Ｃ”という）の三つである。それに対して、光源色の原色は、青（ブルー又はその英語表記のBlueを略して“Ｂ”という）、緑（グリーン又はその英語表記のGreenを略して“Ｇ”という）、赤（レッド又はその英語表記のRedを略して“Ｒ”という）の三つである。但し、光源色の原色の「青」は、厳密には純粋な青ではなく「青紫」であるが、本明細書では説明の便宜上、「青」に統一することにする。つまり、光源色の三原色を「赤（Ｒ）」、「緑（Ｇ）」及び「青（Ｂ）」であるとする。
【０００４】
物体色と光源色の他の違いの一つは、それぞれの原色を混合したときの色の現れ方（混色効果）にある。つまり、物体色の場合は、色を混合するほど光が多く吸収されるため、反射する光の量が引き算的に少なくなり、色は次第に“くすみ”を帯びていく。これを減法混色という。これに対して、光源色の場合は、色を混合することはそのまま光の量が足し算的に増加することになり、色はより鮮やかになっていく。これを加法混色という。
【０００５】
投影型表示装置などの表示装置は、表示画像を光の三原色のドットからなる多数の画素で構成するとともに、各ドットの明るさを加減することにより、上記の「加法混色」を利用して様々な色を表現する。
【０００６】
色の感じ方は主観的であるが、一定の尺度で表現すれば、色相（Hue）、明度（Brightness）及び彩度（Saturation）の三つで表すことができる。これらを色の三属性という。色相とは、色味の違いのことであり、我々が普段、赤、緑、青などのように「色」として知覚し又は表現していることと同じ意味である。また、明度とは、色の明るさのことをいう。最も明るい色は白、最も暗い色は黒である。彩度とは、色の鮮やかさのことをいう。彩度が低くなるにつれて“くすみ”を帯びた色味を感じない色になり、彩度が高くなるにつれて“ギラギラ”した色になる。
【０００７】
図２９は、国際照明委員会（ＣＩＥ）で定められたＣＩＥ色度図（特に座標軸をｘｙにとったＣＩＥｘｙ色度図）である。この色度図は、色の三属性を図式化したものであり、ヨットの帆の形をした破線は、可視光域（約３８０ｎｍ〜７８０ｎｍ）のスペクトル軌跡である。このスペクトル軌跡の内側にすべての色を置くことができる。同軌跡上には、便宜的にいくつかの黒丸が入れられているが、それぞれの黒丸に併記された数値は、そのｘｙ座標における色の波長（４２０ｎｍ、４８０ｎｍ、・・・・、７００ｎｍ）を表している。なお、それらの数値に特段の意味はない。単なる例示に過ぎない。
【０００８】
スペクトル軌跡の内側に描かれた三角図形は、カラーＣＲＴ（Cathode Ray Tube）の色再現領域である。三角図形の面積が大きいほど、多くの色を再現することができる。三角図形の各頂点は、それぞれ赤（Ｒ）、緑（Ｇ）及び青（Ｂ）の色座標であり、三角図形のほぼ中心に位置するＷは、標準光源色（白色）である。Ｗに近くなるほど“色度”が低くなる。色度とは、我々が特に色と関連しているものと知覚する要素のうち輝度から独立した色のことをいい、多くの場合、色度は「色相」と「彩度」に分けられる。
【０００９】
このように、ＣＩＥｘｙ色度図では、あらゆる色の色度、つまり、「色相」と「彩度」をｘｙ座標で表すことができる。また、色の三属性のうちの「明度」は、もう一つの軸（ｚ軸）で表すことができる。すなわち、このＣＩＥｘｙ色度図は、図面の表裏方向に延びる立体図形をｚ軸に直交して輪切りにした一つの面を表しており、ｚ軸の直交位置、つまり、輪切りの位置で明度を表す。ｚ軸の原点位置は明度ゼロであり、立体図形が高いほど明るさのダイナミックレンジが広がる。
【００１０】
こうした色の基礎的知識を踏まえた上で、従来の投影型表示装置（以下、従来装置という）について説明する（たとえば、特許文献１参照）。
【００１１】
図３０（ａ）は、従来装置に用いられているカラーホイールの構造図である。カラーホイールとは、白色光を時間軸上で光の三原色（ＲＧＢ）に分光するための光デバイスである。基本的なカラーホイールはＲＧＢの三領域だけであるが、ここでは、ＲＧＢに加えて、さらに白色光の透過領域（Ｗ）を備えたものを示している。すなわち、図示のカラーホイール１は、中心部分にモータシャフト取り付け部２を形成したガラス円盤を放射状に９０度ずつ４等分し、各々の分割部分を、赤色の分光領域（Ｒ領域１ａ）、緑色の分光領域（Ｇ領域１ｂ）、青色の分光領域（Ｂ領域１ｃ）及び白色光の透過領域（Ｗ領域１ｄ）としたものである。
【００１２】
このカラーホイール１は、不図示のモータによって回転駆動されるようになっており、且つ、その回転時に、カラーホイール１の同心円上の任意部分に不図示の光源からの白色のスポット光３が照射されるようになっている。
【００１３】
スポット光３のサイズは、Ｒ領域１ａ、Ｇ領域１ｂ、Ｂ領域１ｃ及びＷ領域１ｄの大きさよりも充分に小さい。このため、たとえば、カラーホイール１の回転方向を図面に向かって反時計回りとすると、スポット光３がＲ領域１ａに照射されているときには、カラーホイール１から赤色光が取り出される。また、スポット光３がＧ領域１ｂに照射されているときには、カラーホイール１から緑色光が取り出され、また、スポット光３がＢ領域１ｃに照射されているときには、カラーホイール１から青色光が取り出され、さらに、スポット光３がＷ領域１ｄに照射されているときには、カラーホイール１から白色光が取り出される。
【００１４】
なお、図３０（ｂ）〜（ｄ）は、スポット光３が領域の境界線４を越えるときの様子（以下、越境状態という）を示している。後でも詳しく説明するが、この越境状態においては、スポット光３は、カラーホイール１の回転に伴い、図３０（ｂ）に示すような単一の領域（図ではＲ領域１ａ）への照射状態から、図３０（ｃ）に示すような二つの領域（図ではＲ領域１ａとＧ領域１ｂ）に跨った照射状態を経て、再び、図３０（ｄ）に示すような単一の領域（図ではＧ領域１ｂ）の照射状態へと遷移する。
【００１５】
したがって、この越境状態では、境界線４に隣接する二つの分光領域（図示の例ではＲ領域１ａとＧ領域１ｂであり、セグメントとも言う）の混色が得られる。混色の割合は、各々の領域に照射されるスポット光３の面積配分に応じて変化する。すなわち、図３０（ｂ）（仮に第１の分光領域）から図３０（ｃ）（仮に第２の分光領域）に至るにつれて赤色に含まれる緑色の割合が徐々に増加し、最初は赤色であったものがだんだんと黄色みを帯びていく。そして、図３０（ｃ）で赤色と緑色の割合が拮抗してほぼ純粋な黄色となり、さらに、図３０（ｃ）から図３０（ｄ）に至るにつれて緑色に含まれる赤色の割合が徐々に減少し、ほぼ純粋な黄色からだんだんと緑色を帯びた色に変化していき、最終的に限りなく緑色に近づく。
【００１６】
越境状態における図３０（ｃ）の継続時間、すなわち、混色の継続時間は、スポット光３の直径、すなわち、二つの領域の境界線４とスポット光３の外接線５との角度αに比例して大きくなる。たとえば、角度αを便宜的に３０度とすると、スポット光３が二つの領域の境界線４の前後１５度、つまり、角度α（＝３０度）を照射している間、混色（例：赤色→黄色→緑色）を継続する。
【００１７】
図３１は、従来装置におけるカラーホイールの駆動タイミング図である。この図において、Ｒ画像、Ｇ画像、Ｂ画像及びＷ画像は、それぞれ光変調素子（後述のＤＭＤ３４を参照：図２）に時分割で与えられる画像信号である。Ｒ画像はＲＧＢのフレーム画像から取り出されたＲ成分の画像信号、Ｇ画像は同フレーム画像から取り出されたＧ成分の画像信号、Ｂ画像は同フレーム画像から取り出されたＢ成分の画像信号、Ｗ画像は全面白として画像の表示を行った時の画像信号（Ｗ画像の替りに、輝度情報のみの画像信号である輝度画像としても良い）である。
【００１８】
この図に示すように、カラーホイール１の回転位置（Ｒ領域１ａ、Ｇ領域１ｂ、Ｂ領域１ｃ及びＷ領域１ｄの各位置）に同期させて、Ｒ画像、Ｇ画像、Ｂ画像及びＷ画像を順次に光変調素子に与え、それらの画像で変調された赤、緑、青及び白色の各変調光からなる照明光束を投影型表示装置からスクリーンに照射することにより、スクリーン上にカラー画像を表示することができる。
【００１９】
ここで、投影型表示装置は、代表的には、ホームシアターなどのように色の再現性を重視する用途と、プレゼンテーションなどのように明るさを重視する用途の二通りの利用スタイルがある。色の再現性を重視する場合、カラーホイール１のＲ領域１ａ、Ｇ領域１ｂ及びＢ領域１ｃの色純度を高めて、できるだけ原色に近付ければよい。しかし、そうすると今度は、光の透過率が低下して明るさを確保できなくなる。したがって、この場合はプレゼンテーション用途に不適合となる。逆に、充分な明るさを得るために、カラーホイール１のＲ領域１ａ、Ｇ領域１ｂ及びＢ領域１ｃの透過率を高くする、または、Ｗ領域を設ける等してカラーホイール全体の透過率を高くすると、色純度が損なわれてしまい、ホームシアター用途に不適合となる。なお、明るさの確保は、光源の光量アップでも可能であるが、発熱や電力消費の点で限界がある。
【００２０】
かかる背景から、図示の従来装置においては、Ｗ画像（又は輝度画像）の駆動時間を可変できるようにしている。すなわち、図中の矢印イで示すように、明るさを確保する場合にはＷ画像の駆動時間を長くし、一方、色の再現性を確保する場合にはＷ画像の駆動時間を短くして、上記の二つの用途に適合するようにしている。
【００２１】
なお、従来技術では、スポット光３が二つの領域の境界線４を横切る期間（前記の越境状態にある期間）、つまり、スポット光３がＲ領域１ａとＧ領域１ｂの境界及びＧ領域１ｂとＢ領域１ｃの境界を横切る前後１５度（α／２）の期間についての説明はないが、たとえば、この期間をＷ画像で駆動すれば、明るさをよりアップすることが可能であると考えられる。
【００２２】
図３２は、越境状態にあるときにもＷ画像で駆動するようにしたカラーホイールの駆動タイミング図である。この図に示すように、Ｗ画像の駆動期間は、カラーホイール１のＷ領域１ｄだけでなく、各領域の境界の前後１５度（＝α）、つまり、Ｒ領域１ａとＧ領域１ｂの境界線前後１５度、Ｇ領域１ｂとＢ領域１ｃの境界線前後１５度、Ｂ領域１ｃとＷ領域１ｄの境界線前後１５度、及び、Ｗ領域１ｄとＲ領域１ａの境界線前後１５度も含む。このため、Ｗ画像のトータルの駆動期間は、Ｗ領域１ｄの角度＋３α＝９０度＋３０度＋３０度＋３０度となり、結局、カラーホイール１のほぼ半周分に相当する１８０度にも及ぶ長い期間にわたってＷ画像で駆動できるようになり、明るさをよりアップすることができる。
【００２３】
【特許文献１】特開２００４−４５９８９号公報
【発明の開示】
【発明が解決しようとする課題】
【００２４】
上記の従来装置において、カラーホイール１のほぼ半周分に相当する１８０度にも及ぶ長い期間にわたってＷ画像で駆動した場合、明るさをよりアップできる点で好ましいものの、その一方で、Ｗだけが突出して大きくなるため、Ｒ、Ｇ、Ｂやその補色（Ｃ、Ｍ、Ｙ）とのバランスが崩れてしまい、とりわけ、白い部分が強調されすぎる結果、投影画像の色がくすんで見えるという問題点がある。
【００２５】
図３３は、従来装置のＣＩＥｘｙ色度図及び画像ごとの明るさの概念図である。このＣＩＥｘｙ色度図において、三角図形の各頂点は、前記のＣＩＥｘｙ色度図と同様に、それぞれ赤（Ｒ）、緑（Ｇ）及び青（Ｂ）の色座標である。Ｃ（シアン）はＧとＢの補色（Ｇ＋Ｂ）、Ｍ（マゼンタ）はＲとＢの補色（Ｒ＋Ｂ）、Ｙ（イエロー）はＲとＧの補色（Ｒ＋Ｇ）である。
【００２６】
Ｒ、Ｇ、Ｂ、Ｃ、Ｍ、Ｙ及びＷの各画像の明るさを対比すると、図（ｂ）に示すように、概ね「Ｒ：Ｇ：Ｂ：Ｃ：Ｍ：Ｙ：Ｗ＝１：１：１：２：２：２：９」の比率になっている。これは、上記のように、カラーホイール１のほぼ半周分に相当する１８０度にも及ぶ長い期間にわたってＷ画像で駆動したからである。
【００２７】
一般的に、Ｒ、Ｇ、Ｂ、Ｃ、Ｍ、Ｙ及びＷの適正な比率は、「１：１：１：２：２：２：３」程度、すなわち、Ｒ、Ｇ、ＢとＣ、Ｍ、Ｙが「１：２」程度で且つ、Ｒ、Ｇ、ＢとＷが「１：３」程度とされている。この比率のときに、色と明るさの理想的なバランスが得られるとされているが、従来装置の比率は、このバランスから大きくかけ離れているため、色がくすんで見える。
【００２８】
このように、上記の従来装置は、明るさをアップできるという点では有益であるが、微妙な調整、たとえば、特定の色を強調したり、色合いを重視したり、色合いと色純度のバランスをとったり、または、色純度を優先させたりといった、人間の主観に関わるきめ細かな調整を行うことができないという問題点がある。
【００２９】
そこで、本発明の目的は、カラーホイールの各領域と各画像との駆動パターンを多様に変更し得るようにし、以て、明るさ重視から色再現性重視までの幅広い要求に柔軟に応えることができる投影型表示装置及びその表示制御方法を提供することにある。
【課題を解決するための手段】
【００３０】
本発明は、光を発生する光源と、光の透過特性の異なる複数の透過領域が周方向に配置されたカラーホイールと、入力画像を取り込む入力手段と、前記入力手段で入力した入力画像の各色画像信号に基づき、前記光源からの光を用いて各色毎の光像を出力する変調手段と、前記変調手段に前記各色画像信号を送信するタイミングを制御するタイミング制御手段とを備え、前記タイミング制御手段は、隣接し且つ透過特性の異なる前記カラーホイールの第１の透過領域と第２の透過領域の境界を前記光源からの光が透過する混色期間において、前記変調手段に前記各色画像信号を送信するタイミングを、選択されたモード毎に切換えることを特徴とする。
【発明の効果】
【００３１】
本発明によれば、ユーザの要望に応じて、色合いを調整することができる。
【発明を実施するための最良の形態】
【００３２】
以下、本発明の実施形態を、プロジェクタを例にして、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。例えば、本発明の実施の形態においては、ＤＭＤを用いて光を変調しているが、液晶、ＧＬＶ等、他のデバイスにより光の変調を行っても良い。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００３３】
図１は、投影型表示装置としてのプロジェクタ１０の外観図である。プロジェクタ１０は、任意の意匠でデザインされた形状（図示の例では直方体状）の筐体１１を有しており、その筐体１１の前面に、レンズカバー１２の奥に隠れた投影レンズ３５が配設されている。レンズカバー１２は、通常は図示位置にあって投映レンズ１３を隠している（保護している）が、この投影レンズ３５は、レンズカバー１２を手動でスライドさせることによって不図示のスクリーンを臨むように露出する。
【００３４】
投影レンズ３５は、後述のＤＭＤ３４で形成された光像を投影するためのものである。ここでは、フォーカスと投射倍率（ズーム）を任意に可変できるものとする。
【００３５】
筐体１１の上面には、本体操作表示部１４、上面カバー１５及びスピーカ１６が配設されている。本体操作表示部１４はタッチパネル付きの平面表示デバイス（液晶表示パネルまたは有機表示パネルもしくはＥＬパネル等）で構成されている。本体操作表示部１４は、各動作状況に必要な様々な操作ボタンをグラフィカル表示して、対応するボタンがタッチ操作されるとその操作イベント信号を発生する。また、動作異常などが発生した場合にはその内容等を文字列または図形等で表示する。
【００３６】
スピーカ１６は、映像を投射する際、または、任意のプレゼンテーションソフトウェアを実行する際に、それらの映像やプレゼンテーションソフトウェアの音声情報を拡声出力する。
【００３７】
上面カバー１５の下には、通常は隠れて見えない本体サブキー１７が設けられている。本体サブキー１７は、本体操作表示部１４に表示されるボタン操作以外の詳細な動作設定を行う際に、適宜に上面カバー１５を開いて操作される。
【００３８】
図２は、プロジェクタ１０の内部ブロック図である。プロジェクタ１０は、スピーカ１６、音声処理部１８、表示駆動部１９、本体操作表示部１４（平面表示デバイス１４ａ、タッチパネル１４ｂ）、本体サブキー１７を含む操作部２０、記憶部２１、中央制御部２２（画像信号選択手段、色表示制御モード選択手段）、入出力コネクタ２３、入出力Ｉ／Ｆ２４、画像変換部２５、ビデオＲＡＭ２６（少なくともＲ画像プレーン２６ａ、Ｇ画像プレーン２６ｂ及びＢ画像プレーン２６ｃを含む）、投影エンコーダ２７、投影駆動部２８（時分割駆動手段）、リフレクタ２９、光源３０、カラーホイール３１（色分割手段）、カラーホイール駆動用モータ３２、カラーホイール回転角センサ３３、ＤＭＤ３４（空間光変調手段）、投影レンズ１３（投影手段）、フォーカス／ズーム駆動用モータ３６、冷却ファン３７、冷却ファン駆動用モータ３８などのブロックを含む。
【００３９】
記憶部２１は、半導体メモリや磁気ディスクなどの記憶デバイスで構成された不揮発性且つ書き換え可能な記憶要素であり、中央制御部２２の動作に必要な各種のソフトウェアリソース（基本ソフト、制御プログラム及びデータ等）を記憶する。
【００４０】
中央制御部２２は、表示駆動部１９を介して本体操作表示部１４の平面表示デバイス１４ａに所要の操作ボタン類をグラフィカル表示する。ユーザによって任意の操作ボタンがタッチ操作されると、そのタッチ座標がタッチパネル１４ｂで検出され、中央制御部２２は、その検出座標に基づいて、タッチ操作されたボタンの種類を特定し、その特定結果に対応した制御モード（たとえば、フォーカスやズーム等の投影条件設定モード）を実行する。
【００４１】
また、中央制御部２２は、表示駆動部１９を介して本体操作表示部１４の平面表示デバイス１４ａに、入力画像の解像度、入力コネクタ部２０の使用端子選択、音声の有無等の設定に必要な操作ボタン類をグラフィカル表示する。ユーザによって任意の操作ボタンがタッチ操作されると、そのタッチ座標がタッチパネル１４ｂで検出され、中央制御部２２は、その検出座標に基づいて、タッチ操作されたボタンの種類を特定し、その特定結果に対応した設定動作を実行する。
【００４２】
また、中央制御部２２は、たとえば、入力画像の解像度がＸＧＡ（１０２４×７６８画素）、入力コネクタ部２０の使用端子がＲＣＡ端子、且つ、音声ありの場合は、入出力Ｉ／Ｆ２４を制御して入出力コネクタ２３の当該端子（ＲＣＡ端子）を選択する。そしてその中央制御部２２は、その端子に加えられた外部機器からの入力画像と音声とを取り込み、それらを画像変換部２５と音声処理部１８に転送する。
【００４３】
さらに、中央制御部２２は、表示駆動部１９を介して本体操作表示部１４の平面表示デバイス１４ａに、複数の表示制御モードの選択画面を表示する。そして、ユーザが、そのときの用途に応じて、その表示制御モードの中から適切なものをタッチ選択すると、そのタッチ座標がタッチパネル１４ｂで検出され、中央制御部２２は、その検出座標に基づいて、タッチ操作された表示制御モードを特定し、その特定結果に対応した表示制御モードを実行する。表示制御モードの選択と実行の詳細については後述する。
【００４４】
音声処理部１８は音声を増幅してスピーカ１６で拡声出力する。画像変換部２５は、入力画像を所定のフォーマットに変換し、その変換画像を投影エンコーダ２７に転送する。
【００４５】
投影エンコーダ２７は、送られてきた画像信号をビデオＲＡＭ２６に展開記憶（Ｒ画像→Ｒ画像プレーン２６ａ、Ｇ画像→Ｇ画像プレーン２６ｂ、Ｂ画像→Ｂ画像プレーン２６ｃ）する。そして、投影エンコーダ２７は、中央制御部２５からの要求により、このビデオＲＡＭ２６の各画像プレーンに記憶されている画像信号（Ｒ画像信号、Ｇ画像信号、Ｂ画像信号）を順に読み出し、投影駆動部２８に送信する。
【００４６】
投影駆動部２８は、投影エンコーダ２７から送信されたＲ画像信号、Ｇ画像信号及びＢ画像信号でＤＭＤ３４が駆動するように各画像信号をＤＭＤ３４に送信すると共に、この送信と同期してカラーホイール３１が回転するように、カラーホイール回転角センサ３３からの信号を受信して、カラーホイール駆動用モータ３２へ制御信号を送信する。これにより、Ｒ画像信号でＤＭＤ３４が駆動しているときには、スポット光Ｐａがカラーホイール３１のＲ領域を照射し、Ｇ画像信号でＤＭＤ３４が駆動しているときには、スポット光Ｐａがカラーホイール３１のＧ領域を照射し、Ｂ画像信号でＤＭＤ３４が駆動しているときには、スポット光Ｐａがカラーホイール３１のＢ領域を照射するように、カラーホイールの回転は制御される。
【００４７】
また、ＤＭＤ３４をＣＭＹ画像信号で駆動させてもよい。この場合、投影駆動部２８は、送信されたＲＧＢの画像信号より、ＣＭＹの画像信号を生成して、生成したＣＭＹの画像信号でＤＭＤ３４を駆動させる。
【００４８】
また、ＤＭＤ３４を表示画面の全面を白とした画像信号（Ｗ画像信号）で駆動させてもよい。この場合、投影駆動部２８は、ＲＧＢ画像信号に関係なく、全面に渡って一定輝度の画像信号でＤＭＤ３４を駆動させる。
【００４９】
また、ＤＭＤ３４を表示画面の全面を黒とした画像信号（黒画像信号）で駆動させてもよい。この場合、投影駆動部２８は、ＲＧＢ画像信号に関係なく、全面に渡って輝度０の画像信号でＤＭＤ３４を駆動させる。
【００５０】
また、ＤＭＤ３４を輝度画像信号で駆動させてもよい。この場合、投影駆動部２８は、投影エンコーダ２７から送信されたＲＧＢ画像信号より輝度画像信号を生成し、生成した輝度画像信号でＤＭＤ３４を駆動させる。表示画像のｘ座標がｉ、ｙ座標がｊに位置する画素に対応する輝度画像信号Ｉijは以下の式（１）によって計算される。
【００５１】
Ｉij＝ＩRijＷR＋ＩGijＷG＋ＩBijＷB  ・・・・（１）
【００５２】
上式（１）において、ＩRij、ＩGij、ＩBijは、表示画像のｘ座標がｉ、ｙ座標がｊに位置する画素に対応するＲＧＢ各画像信号の信号強度である。またＷR、ＷG、ＷBはＲＧＢ各画像信号の信号強度から輝度画像信号の強度を取得するための定数である。投影駆動部２８は、表示画面の全画素に渡って上式（１）により輝度画像信号を計算し、その輝度画像信号でＤＭＤ３４を駆動する。
【００５３】
ＤＭＤ３４（Digital Micro-mirror Device）は、微小な可動ミラーを多数個平面上に敷き詰めた半導体集積光スイッチである。可動ミラーの大きさは、たとえば、十数μｍ角であり、ミラーのオンとオフの状態で±１０度程度傾斜が変化するように支柱に取り付けられている。ミラーの直下にはメモリー素子が形成されており、このメモリー素子の正電界作用によってミラーのオンとオフの状態を切り換える。ＤＭＤ３４の反射光量は、ミラーをオンにしたときに最大（白階調）、オフにしたときに最小（黒階調）となる。また、各ミラーのスイッチングスピード（オンとオフの切り換えスピード）を毎秒５０万回以上にすることもできるため、各ミラーのスイッチングレシオを変えることにより、ＤＭＤ３４の反射光量を中間階調（グレースケール）にすることもできる。
【００５４】
このようなＤＭＤ３４に対して、リフレクタ２９内に配置された超高圧水銀灯等の光源３０から高輝度の白色のスポット光Ｐａを照射すると、その反射光Ｐｂは、ＤＭＤ３４の各ミラーのオンオフ及びそのスイッチングレシオに対応して画素ごとに光変調（画像信号の内容で画素単位に光変調）されたものとなる。そして、この反射光Ｐｂを投影レンズ３５を介して図示しないスクリーンに投射することによって、そのスクリーン上に画像信号の拡大映像を投影することができる。
【００５５】
但し、図示の例では、ＤＭＤ３４の数は１個であり、また、光源３０から照射されたスポット光Ｐａは「白色光」であるから、この場合、スクリーン上にはモノクロの映像しか投影できない。そこで、実際には、光源３０の前面にカラーホイール３１を配置して、このカラーホイール３１をカラーホイール駆動用モータ３２で回転駆動するようにし、且つ、ビデオＲＡＭ２６に画像信号を展開記憶する際に、光の三原色（ＲＧＢ）ごとのビデオ信号成分（Ｒ画像信号、Ｇ画像信号、Ｂ画像信号）に分けて展開記憶するようにしている。
【００５６】
図３は、カラーホイール３１の正面図である。本実施形態のカラーホイール３１は、特にそれに限定されないが、６分割構造のものを例示する。すなわち、円盤状のプレートにＲ領域３１ａ、Ｇ領域３１ｂ及びＢ領域３１ｃを形成すると共に、それらの領域間にＭ（マゼンタ＝Ｒ＋Ｂ）領域３１ｄ、Ｃ（シアン＝Ｇ＋Ｂ）領域３１ｅ、Ｙ（イエロー＝Ｒ＋Ｇ）領域３１ｆを形成したものである。Ｒ領域３１ａ、Ｇ領域３１ｂ及びＢ領域３１ｃの角度は同一（たとえば、９０度）であり、また、Ｍ領域３１ｄ、Ｃ領域３１ｅ及びＹ領域３１ｆの角度も同一（但し、Ｒ領域３１ａ、Ｇ領域３１ｂ及びＢ領域３１ｃの角度よりも小さい、たとえば、３０度）である。
【００５７】
その角度は、カラーホイールを光が通過するホットスポットの大きさに応じてある程度求まる。例えば本実施例では、ホットスポットの大きさに対応する角度が３０度である例を掲示している為、ＣＭＹ領域の角度は３０度であるとしている。このように構成することで、図１５で後述するように、このカラーホイールで光源よりの光を時分割に色分けした時に、特にＰ３やＰ４で制御した時にＲＧＢとＣＭＹで時分割するバランスが良くなる。
【００５８】
表示制御方法は後述する４つの制御モード処理（Ｐ１〜Ｐ４）に限られずに場合により調整の余地はあるが、ホットスポットが最小（≒０度）であったとした場合であっても、ＣＭＹの面積がＲＧＢの面積よりも大きくなることは、色合いのバランスが悪くなる為通常明らかに適当でない。また、ホットスポットの面積を最小にすると、カラーホイールを通過する際に高温になりすぎてカラーホイールを熱破損しやすいので、通常、それなりの大きさとなるように構成する必要がある。以上のことから、色のバランスを考慮すると、ＣＭＹの面積はＲＧＢの面積よりも明らかに小さく構成することが通常適当である。
【００５９】
また、カラーホイールの正確な大きさは、例えば、各原色（ＲＧＢ）や各補色（ＣＭＹ）間で同一ではなくとも良く、例えば色味を調整する場合など、場合により、ＧやＢより、少しだけＲを大きく構成したりすることが考えられ、このようにすることで全体的に赤色を強調した画像を表示するようになる。
【００６０】
つまり、各原色の間に、それぞれの原色の中間色に相当する中間色を配置すると共に、その中間色フィルタの両隣の原色フィルタの中心角よりも、その中間色フィルタの中心角を、通常明らかに小さくするように構成する。
【００６１】
カラーホイール３１のプレートの中央部分には、カラーホイール駆動用モータ３２のシャフトを取り付けるための円形開口３１ｈが形成されている。また、カラーホイール３１のプレートの外周縁の所定位置（図ではＲ領域とＭ領域の境界線３１ｉから時計回り方向に１５度ずれた位置）には、このカラーホイール３１の回転角を検出する際の基準位置を示す小穴３１ｊが形成されている。
【００６２】
図３（ｂ）に、カラーホイール回転角センサ３３と、カラーホイール３１との位置関係を模式的に示す。
カラーホイール回転角センサ３３は、発光部３３ａと受光部３３ｂを内蔵したコの字状ボディ３３ｃを備える。カラーホイール回転角センサ３３は、そのボディ３３ｃで、カラーホイール３１のプレートの外周縁付近を非接触状態で挟み込み、発光部３３ａからの光を受光部３３ｂで受光し、その光の有無に対応した回転角検出信号ＣＰを出力する。
【００６３】
この回転角検出信号ＣＰは、発光部３３ａからの光がプレートで遮られている間、ローレベルを維持するが、発光部３３ａからの光がプレートの小穴３１ｊを透過するとハイレベルに立ち上がる。カラーホイール３１は、カラーホイール駆動用モータ３２によって所定の速度で回転駆動されるため、発光部３３ａからの光がプレートの小穴３１ｊを透過するのは一瞬である。したがって、回転角検出信号ＣＰは、カラーホイール３１の一回転ごとに１回、瞬間的にハイレベルに立ち上がることになる。よって、そのハイレベルの立ち上がり時点を回転角０度とすると、図３（ｃ）に示すように、ハイレベルからハイレベルまでの期間でカラーホイール３１の刻一刻と変化する回転角（０〜３６０度）を表すことができる。
【００６４】
このように、カラーホイール回転角センサ３３でカラーホイールの状態を検知しながら、カラーホイール駆動用モータ３２でもって駆動すると共に、ＤＭＤ３４と同期するようにカラーホイール３１を回転駆動する。一般的には投影駆動部２８がセンサ３３から回転角検出信号ＣＰを受信して、カラーホイール３１の回転がＤＭＤ３４の駆動と同期するように、カラーホイール駆動用モータ３２に回転駆動信号を送信する。
【００６５】
図４は、カラーホイール３１の各領域の分光特性を示す図である。（ａ）はＲ領域３１ａの分光特性、（ｂ）はＧ領域３１ｂの分光特性、（ｃ）はＢ領域３１ｃの分光特性を示し、さらに、（ｄ）はＹ領域３１ｆの分光特性、（ｅ）はＣ領域３１ｅの分光特性、（ｆ）はＭ領域３１ｄの分光特性を示している。これらの図において、縦軸は光の透過強度、横軸は光の波長である。赤色光の波長に対して緑色光の波長は短く、青色光の波長はさらに短い。図中の破線で分けた三つのエリア（Ｒ、Ｇ、Ｂ）は、赤色光、緑色光及び青色光の便宜上の波長帯域を示している。図（ａ）に示すように、赤色光の分光特性は、Ｒ領域３１ａの透過率を高めることによって得られる。同様に、図（ｂ）に示すように、緑色光の分光特性は、Ｇ領域３１ｂの透過率を高めることによって得られ、また、図（ｃ）に示すように、青色光の分光特性は、Ｂ領域３１ｃの透過率を高めることによって得られる。
【００６６】
黄色（Ｙ）は、赤（Ｒ）と緑（Ｇ）の混色である。このため、図（ｄ）に示すように、黄色の分光特性は、Ｒ領域３１ａとＧ領域３１ｂの透過率を高める（換言すればＢ領域３１ｃの透過率を低くする）ことによって得られる。また、シアン（Ｃ）は、緑（Ｇ）と青（Ｂ）の混色である。このため、図（ｅ）に示すように、シアンの分光特性は、Ｂ領域３１ｃとＧ領域３１ｂの透過率を高める（換言すればＲ領域３１ａの透過率を低くする）ことによって得られる。さらに、マゼンタ（Ｍ）は、赤（Ｒ）と青（Ｂ）の混色である。このため、図（ｆ）に示すように、マゼンタの分光特性は、Ｂ領域３１ｃとＲ領域３１ａの透過率を高める（換言すればＧ領域３１ｂの透過率を低くする）ことによって得られる。
【００６７】
図５は、光源３０から照射されるスポット光Ｐａとカラーホイール３１との対応関係図である。この図において、スポット光Ｐａの光軸Ｐは、カラーホイール３１の半径上の所定位置に固定されており、カラーホイール３１の回転に伴い、そのカラーホイール３１の円周方向にスポット光Ｐａが相対的に移動するようになっている。
【００６８】
ここで、スポット光Ｐａの左右の外接線Ｌａ、Ｌｂをカラーホイール３１の回転中心Ｏで交差させたとき、その交差角θと、カラーホイール３１に形成されたＹ領域３１ｆ、Ｃ領域３１ｅ及びＭ領域３１ｄの各々の角度（３０度）とが一致するように、スポット光Ｐａの直径（ＡＢ）を設定する。今、θ＝３０度であるから、スポット光Ｐａの直径（ＡＢ）は、「２×ＯＡ×（ｔａｎθ／２）」で与えられる。ＯＡは、カラーホイール３１の回転中心Ｏからスポット光Ｐａの点Ａまでの距離である。たとえば、ＯＡ＝１０ｍｍとすると、ＡＢ＝５．１８ｍｍになるから、スポット光Ｐａの直径を５．３６ｍｍにすれば、カラーホイール３１に形成されたＹ領域３１ｆ、Ｃ領域３１ｅ及びＭ領域３１ｄの各々の角度（３０度）と交差角θを一致させることができる。
【００６９】
図６〜図８は、カラーホイール３１の回転状態を示す図であり、たとえば、図６（ａ）はカラーホイール３１の回転角が０度のときの状態図、図６（ｂ）は同回転角が６０度のときの状態図、図６（ｃ）は同回転角が９０度のときの状態図、図７（ａ）は同回転角が１２０度のときの状態図、図７（ｂ）は同回転角が１８０度のときの状態図、図７（ｃ）は同回転角が２１０度のときの状態図、図８（ａ）は同回転角が２４０度のときの状態図、図８（ｂ）は同回転角が３００度のときの状態図、図８（ｃ）は同回転角が３３０度のときの状態図である。
【００７０】
これらの回転角のうち０度は、カラーホイール３１に形成された小穴３１ｊがカラーホイール回転角センサ３３の位置に一致しているときのものである。このときの回転角（０度）を基準にして、カラーホイール３１を反時計回り方向に回転させていくと、回転角が徐々に増え、カラーホイール３１が一回転すると、再び０度に戻って、以降、この回転角の変化を繰り返す。
【００７１】
ここで、カラーホイール３１が、上記の各回転角（０度、６０度、９０度、１２０度、１８０度、２１０度、２４０度、３００度及び３３０度）にあるとき、いずれもスポット光Ｐａが単一の分光領域に位置しているため、カラーホイール３１からはそれぞれの分光領域の光色が取り出される。
【００７２】
すなわち、０度と６０度の場合（又は０度〜６０度の場合）は（図６（ａ）（ｂ）参照）、スポット光ＰａがＲ領域３１ａに位置しているため、カラーホイール３１から赤色（Ｒ）の光色が取り出され、９０度の場合は（図６（ｃ）参照）、スポット光ＰａがＹ領域３１ｆに位置しているため、カラーホイール３１から黄色（Ｙ）の光色が取り出される。同様に、１２０度と１８０度の場合（又は１２０度〜１８０度の場合）は（図７（ａ）（ｂ）参照）、スポット光ＰａがＧ領域３１ｂに位置しているため、カラーホイール３１から緑色（Ｇ）の光色が取り出される。２１０度の場合は（図７（ｃ）参照）、スポット光ＰａがＣ領域３１ｅに位置しているため、カラーホイール３１からシアン（Ｃ）の光色が取り出される。同様に、２４０度と３００度の場合（又は２４０度〜３００度の場合）は（図８（ａ）（ｂ）参照）、スポット光ＰａがＢ領域３１ｃに位置しているため、カラーホイール３１から青色（Ｂ）の光色が取り出され、３３０度の場合は（図８（ｃ）参照）、スポット光ＰａがＭ領域３１ｄに位置しているため、カラーホイール３１からマゼンタ（Ｍ）の光色が取り出される。
【００７３】
一方、スポット光Ｐａがカラーホイール３１の分光領域の境界を越えるとき、カラーホイール３１からは境界を接した二つの分光領域の色を混合した光色が取り出される。すなわち、カラーホイール３１の回転角が６０度（図６（ｂ）参照）を超え且つ９０度（図６（ｃ）参照）未満となる範囲では、赤色から徐々に黄色へと変化する混色（Ｒ／Ｙ）がカラーホイール３１から取り出される。また、カラーホイール３１の回転角が９０度（図６（ｃ）参照）を超え且つ１２０度（図７（ａ）参照）未満となる範囲では、黄色から徐々に緑色へと変化する混色（Ｙ／Ｇ）がカラーホイール３１から取り出される。また、カラーホイール３１の回転角が１８０度（図７（ｂ）参照）を超え且つ２１０度（図７（ｃ）参照）未満となる範囲では、緑色から徐々にシアンへと変化する混色（Ｇ／Ｃ）がカラーホイール３１から取り出される。また、カラーホイール３１の回転角が２１０度（図７（ｃ）参照）を超え且つ２４０度（図８（ａ）参照）未満となる範囲では、シアンから徐々に青色へと変化する混色（Ｃ／Ｂ）がカラーホイール３１から取り出される。また、カラーホイール３１の回転角が３００度（図８（ｂ）参照）を超え且つ３３０度（図８（ｃ）参照）未満となる範囲では、青色から徐々にマゼンタへと変化する混色（Ｂ／Ｍ）がカラーホイール３１から取り出される。また、カラーホイール３１の回転角が３３０度（図８（ｃ）参照）を超え且つ０度（図６（ａ）参照）未満となる範囲では、マゼンタから徐々に赤色へと変化する混色（Ｍ／Ｒ）がカラーホイール３１から取り出される。
【００７４】
図９は、カラーホイール３１の回転角変化とそのカラーホイール３１から取り出される光色の対応関係図である。カラーホイール３１の基準回転角（０度）は、回転角検出信号ＣＰの瞬間的なハイレベルへの立ち上がりタイミングに同期する。カラーホイール３１の回転角が、この基準回転角（０度）にあるとき、図６（ａ）に示すように、スポット光ＰａはＭ領域３１ｄから抜け出した直後であるから、スポット光Ｐａはその全体でＲ領域３１ａを照射している。したがって、回転角が０度のとき、カラーホイール３１から取り出される光色はＲ領域３１ａの透過光である純粋な「赤色（Ｒ）」になる。
【００７５】
次に、カラーホイール３１の回転角が０度〜６０度にあるとき、図６（ｂ）に示すように、スポット光ＰａはまだＹ領域３１ｆに入っていないから、スポット光Ｐａは依然としてその全体でＲ領域３１ａを照射している。したがって、回転角が０度〜６０度のときも、カラーホイール３１から取り出される光色はＲ領域３１ａの透過光である純粋な「赤色（Ｒ）」になる。
【００７６】
次に、カラーホイール３１の回転角が６０度を越え且つ９０度未満にあるとき、スポット光ＰａはＲ領域３１ａとＹ領域３１ｆに跨っている（越境している）から、スポット光Ｐａはその全体で、これらの二つの領域（Ｒ領域３１ａとＹ領域３１ｆ）を照射している。したがって、回転角が６０度を越え且つ９０度未満にあるとき、カラーホイール３１から取り出される光色は、Ｒ領域３１ａとＹ領域３１ｆの同時透過光である「赤色と黄色の混色（Ｒ／Ｙ）」になる。
【００７７】
次に、カラーホイール３１の回転角が９０度にあるとき、図６（ｃ）に示すように、スポット光ＰａはＹ領域３１ｆに完全に入り込んでいるから、スポット光Ｐａはその全体でＹ領域３１ｆを照射している。したがって、回転角が９０度にあるとき、カラーホイール３１から取り出される光色は、Ｙ領域３１ｆの透過光である純粋な「黄色（Ｙ）」になる。
【００７８】
次に、カラーホイール３１の回転角が９０度を越え且つ１２０度未満にあるとき、スポット光ＰａはＹ領域３１ｆとＧ領域３１ｂに跨っている（越境している）から、スポット光Ｐａはその全体で、これらの二つの領域（Ｙ領域３１ｆとＧ領域３１ｂ）を照射している。したがって、回転角が９０度を越え且つ１２０度未満にあるとき、カラーホイール３１から取り出される光色は、Ｙ領域３１ｆとＧ領域３１ｂの同時透過光である「黄色と緑色の混色（Ｙ／Ｇ）」になる。
【００７９】
次に、カラーホイール３１の回転角が１２０度にあるとき、図７（ａ）に示すように、スポット光ＰａはＹ領域３１ｆを抜けた直後であるから、スポット光Ｐａはその全体でＧ領域３１ｂを照射している。したがって、回転角が１２０度にあるとき、カラーホイール３１から取り出される光色はＧ領域３１ｂの透過光である純粋な「緑色（Ｇ）」になる。
【００８０】
次に、カラーホイール３１の回転角が１２０度〜１８０度にあるとき、図７（ｂ）に示すように、スポット光ＰａはまだＣ領域３１ｅに入っていないから、スポット光Ｐａは依然としてその全体でＧ領域３１ｂを照射している。したがって、回転角が１２０度〜１８０度のとき、カラーホイール３１から取り出される光色は、Ｇ領域３１ｂの透過光である純粋な「緑色（Ｇ）」になる。
【００８１】
次に、カラーホイール３１の回転角が１８０度を越え且つ２１０度未満にあるとき、スポット光ＰａはＧ領域３１ｂとＣ領域３１ｅに跨っている（越境している）から、スポット光Ｐａはその全体で、これらの二つの領域（Ｇ領域３１ｂとＣ領域３１ｅ）を照射している。したがって、回転角が１８０度を越え且つ２１０度未満にあるとき、カラーホイール３１から取り出される光色は、Ｇ領域３１ｂとＣ領域３１ｅの同時透過光である「緑色とシアンの混色（Ｇ／Ｃ）」になる。
【００８２】
次に、カラーホイール３１の回転角が２１０度にあるとき、図７（ｃ）に示すように、スポット光ＰａはＣ領域３１ｅに完全に入り込んでいるから、スポット光Ｐａはその全体でＣ領域３１ｅを照射している。したがって、回転角が２１０度にあるとき、カラーホイール３１から取り出される光色は、Ｃ領域３１ｅの透過光である純粋な「シアン（Ｃ）」になる。
【００８３】
次に、カラーホイール３１の回転角が２１０度を越え且つ２４０度未満にあるとき、スポット光ＰａはＣ領域３１ｅとＢ領域３１ｃに跨っている（越境している）から、スポット光Ｐａはその全体で、これらの二つの領域（Ｃ領域３１ｅとＢ領域３１ｃ）を照射している。したがって、回転角が２１０度を越え且つ２４０度未満にあるとき、カラーホイール３１から取り出される光色は、Ｃ領域３１ｅとＢ領域３１ｃの同時透過光である「シアンと青色の混色（Ｃ／Ｂ）」になる。
【００８４】
次に、カラーホイール３１の回転角が２４０度にあるとき、図８（ａ）に示すように、スポット光ＰａはＣ領域３１ｅを抜けた直後であるから、スポット光Ｐａはその全体でＢ領域３１ｃを照射している。したがって、回転角が２４０度にあるとき、カラーホイール３１から取り出される光色は、Ｂ領域３１ｃの透過光である純粋な「青色（Ｂ）」になる。
【００８５】
次に、カラーホイール３１の回転角が２４０度〜３００度にあるとき、図８（ｂ）に示すように、スポット光ＰａはまだＭ領域３１ｄに入っていないから、スポット光Ｐａは依然としてその全体でＢ領域３１ｃを照射している。したがって、回転角が２４０度〜３００度のとき、カラーホイール３１から取り出される光色は、Ｂ領域３１ｃの透過光である純粋な「青色（Ｂ）」になる。
【００８６】
次に、カラーホイール３１の回転角が３００度を越え且つ３３０度未満にあるとき、スポット光ＰａはＢ領域３１ｃとＭ領域３１ｄに跨っている（越境している）から、スポット光Ｐａはその全体で、これらの二つの領域（Ｂ領域３１ｃとＭ領域３１ｄ）を照射している。したがって、回転角が３００度を越え且つ３３０度未満にあるとき、カラーホイール３１から取り出される光色は、Ｂ領域３１ｃとＭ領域３１ｄの同時透過光である「青色とマゼンタの混色（Ｂ／Ｍ）」になる。
【００８７】
次に、カラーホイール３１の回転角が３３０度にあるとき、図８（ｃ）に示すように、スポット光ＰａはＭ領域３１ｄに完全に入り込んでいるから、スポット光Ｐａはその全体でＭ領域３１ｄを照射している。したがって、回転角が３３０度にあるとき、カラーホイール３１から取り出される光色は、Ｍ領域３１ｄの透過光である純粋な「マゼンタ（Ｍ）」になる。
【００８８】
次に、カラーホイール３１の回転角が３３０度を越え且つ３６０度（０度）未満にあるとき、スポット光ＰａはＭ領域３１ｄとＲ領域３１ａに跨っている（越境している）から、スポット光Ｐａはその全体で、これらの二つの領域（Ｍ領域３１ｄとＲ領域３１ａ）を照射している。したがって、回転角が３３０度を越え且つ３６０度未満にあるとき、カラーホイール３１から取り出される光色は、Ｍ領域３１ｄとＲ領域３１ａの同時透過光である「マゼンタと赤色の混色（Ｍ／Ｒ）」になる。
【００８９】
このように、本実施形態のカラーホイール３１によれば、その回転角が０度〜６０度の間で「赤色光（Ｒ）」を取り出し、同回転角が６０度を越え且つ９０度未満の間で「赤色と黄色の混色光（Ｒ／Ｙ）」を取り出し、同回転角が６０度のときに「黄色（Ｙ）」を取り出し、同回転角が９０度を越え且つ１２０度未満の間で「黄色と緑の混色光（Ｙ／Ｇ）」を取り出し、同回転角が１２０度〜１８０度の間で「緑色光（Ｇ）」を取り出し、同回転角が１８０度を越え且つ２１０度未満の間で「緑色とシアンの混色光（Ｇ／Ｃ）」を取り出し、同回転角が２１０度のときに「シアン（Ｃ）」を取り出し、同回転角が２１０度を越え且つ２４０度未満の間で「シアンと青の混色光（Ｃ／Ｂ）」を取り出し、同回転角が２４０度〜３００度の間で「青色光（Ｂ）」を取り出し、同回転角が３００度を越え且つ３３０度未満の間で「青色とマゼンタの混色光（Ｂ／Ｍ）」を取り出し、同回転角が３３０度のときに「マゼンタ（Ｍ）」を取り出し、同回転角が３３０度を越え且つ３６０度未満の間で「マゼンタと赤の混色光（Ｍ／Ｒ）」を取り出すことができる。
【００９０】
なお、上記では、カラーホイールは30度のセグメント（Ｙ領域３１ｆ、Ｃ領域３１ｅ、Ｍ領域３１ｄ）と90度のセグメント（Ｒ領域３１ａ、Ｇ領域３１ｂ、Ｂ領域３１ｃ）から構成されるように記載したが、このようではなくとも良い。例えば、上述の30度のセグメントを29度に、上述の90度のセグメントを91度としてカラーホイール３１を構成しても良い。また、上述の30度のセグメントを40度に、上述の90度のセグメントを80度としてカラーホイール３１を構成しても良い。このように、ＲＧＢの領域と比較して小さなＣＭＹの領域を設けることにより、ＲＧＢＣＭＹを全て同じ大きさの領域に構成したり、ＲＧＢよりもＣＭＹをより大きな領域に構成するよりもより色の再現性が良い投影装置とすることができる。
【００９１】
＜第一実施形態＞
図１０は、プロジェクタ１０の中央制御部２２で実行される制御プログラムの概略的なフローチャートを示す図である。この制御プログラムでは、まず、光源ＯＮ（光源３０の点灯）及びカラーホイール回転（カラーホイール駆動用モータ３２の動作開始）を行った後（ステップＳ１０）、表示制御モード分岐処理を実行する（ステップＳ１１）。表示制御モードとは、前記のとおり、本体操作表示部１４の平面表示デバイス１４ａに表示される選択ボタンをタッチすることにより、ユーザによって適宜に指定された表示制御モードのことである。より詳細には、明度と彩度の複数通り（ここでは便宜的に４通りとする）の組み合わせのうちのいずれかの表示制御モードのことである。以下、これら４通りの表示制御モードのことを「第一表示制御モード」、「第二表示制御モード」、「第三表示制御モード」及び「第四表示制御モード」ということにする。
【００９２】
ステップＳ１１の分岐処理によって、「第一表示制御モード」が判定されたときには、第一表示制御モード処理を実行し（ステップＳ１２）、「第二表示制御モード」が判定されたときには、第二表示制御モード処理を実行し（ステップＳ１３）、「第三表示制御モード」が判定されたときには、第三表示制御モード処理を実行し（ステップＳ１４）、「第四表示制御モード」が判定されたときには、第四表示制御モード処理を実行する（ステップＳ１５）。
【００９３】
そして、いずれの表示制御モードにおいても、１フレームの画像を表示後、画像の表示終了を判定し（ステップＳ１６）、表示終了でなければ、再びステップＳ１１の分岐処理以降を繰り返す一方、表示終了であれば、光源ＯＦＦ及びカラーホイール停止（ステップＳ１７）を行った後、プログラムを終了する。
【００９４】
図１１は、第一表示制御モードプログラムのフローチャートを示す図である。この図において、まず、カラーホイール３１の回転角を取り込み、変数ＣＡにセットする（ステップＳ１２ａ）。
【００９５】
次いで、「０度＜ＣＡ＜６０度」であるか否かを判定し（ステップＳ１２ｂ）、判定結果が肯定（ＹＥＳ）の場合に、ビデオＲＡＭ２６から読み出したＲ画像信号でＤＭＤ３４を駆動する（ステップＳ１２ｃ）。
【００９６】
次いで、「６０度＜ＣＡ＜１２０度」であるか否かを判定し（ステップＳ１２ｄ）、判定結果が肯定（ＹＥＳ）の場合に、ビデオＲＡＭ２６から読み出したＲ画像信号、Ｇ画像信号及びＢ画像信号に基づいて（たとえば、前式（１）により）生成されたＷ画像信号でＤＭＤ３４を駆動する（ステップＳ１２ｅ）。
【００９７】
次いで、「１２０度＜ＣＡ＜１８０度」であるか否かを判定し（ステップＳ１２ｆ）、判定結果が肯定（ＹＥＳ）の場合に、ビデオＲＡＭ２６から読み出したＧ画像信号でＤＭＤ３４を駆動する（ステップＳ１２ｇ）。
【００９８】
次いで、「１８０度＜ＣＡ＜２４０度」であるか否かを判定し（ステップＳ１２ｈ）、判定結果が肯定（ＹＥＳ）の場合に、ビデオＲＡＭ２６から読み出したＲ画像信号、Ｇ画像信号及びＢ画像信号に基づいて（たとえば、前式（１）により）生成されたＷ画像信号でＤＭＤ３４を駆動する（ステップＳ１２ｉ）。
【００９９】
次いで、「２４０度＜ＣＡ＜３００度」であるか否かを判定し（ステップＳ１２ｊ）、判定結果が肯定（ＹＥＳ）の場合に、ビデオＲＡＭ２６から読み出したＢ画像信号でＤＭＤ３４を駆動する（ステップＳ１２ｋ）。
【０１００】
次いで、中央制御部２２は、「３００度＜ＣＡ＜３６０度」であるか否かを判定する（ステップＳ１２ｍ）。判定結果が肯定（ＹＥＳ）の場合に、中央制御部２２は、表示画面の全面に渡って一定強度の画像信号であるＷ画像信号でＤＭＤ３４を駆動する（ステップＳ１２ｎ）。
【０１０１】
以上に記載した第一表示制御モードでは、ＤＭＤ３４をＷ画像信号で駆動する期間を設けたが、これをビデオＲＡＭ２６から読み出したＲ画像信号、Ｇ画像信号及びＢ画像信号に基づいて（たとえば、前式（１）により）生成された輝度画像信号としても良いし、表示画面の全面に渡って輝度０の画像信号である黒画像信号としても良い。輝度画像信号とした時は、画像の輪郭がより鮮明になる。黒画像信号とした時は、混ざりのないＲＧＢが投影されるので、色合いが向上する。
【０１０２】
図１２は、第二表示制御モードプログラムのフローチャートを示す図である。この図において、まず、カラーホイール３１の回転角を取り込み、変数ＣＡにセットする（ステップＳ１３ａ）。
【０１０３】
次いで、中央制御部２２は、「３４５度＜ＣＡ＜７５度」であるか否かを判定し（ステップＳ１３ｂ）、判定結果が肯定（ＹＥＳ）の場合に、ビデオＲＡＭ２６から読み出したＲ画像信号でＤＭＤ３４を駆動する（ステップＳ１３ｃ）。
【０１０４】
次いで、「７５度＜ＣＡ＜１０５度」であるか否かを判定し（ステップＳ１３ｄ）、判定結果が肯定（ＹＥＳ）の場合に、ビデオＲＡＭ２６から読み出したＲ画像信号及びＧ画像信号に基づいて生成されたＹ画像信号でＤＭＤ３４を駆動する（ステップＳ１３ｅ）。
【０１０５】
次いで、「１０５度＜ＣＡ＜１９５度」であるか否かを判定し（ステップＳ１３ｆ）、判定結果が肯定（ＹＥＳ）の場合に、ビデオＲＡＭ２６から読み出したＧ画像信号でＤＭＤ３４を駆動する（ステップＳ１３ｇ）。
【０１０６】
次いで、「１９５度＜ＣＡ＜２２５度」であるか否かを判定し（ステップＳ１３ｈ）、判定結果が肯定（ＹＥＳ）の場合に、ビデオＲＡＭ２６から読み出したＧ画像信号及びＢ画像信号に基づいて生成されたＣ画像信号でＤＭＤ３４を駆動する（ステップＳ１３ｉ）。
【０１０７】
次いで、「２２５度＜ＣＡ＜３１５度」であるか否かを判定し（ステップＳ１３ｊ）、判定結果が肯定（ＹＥＳ）の場合に、ビデオＲＡＭ２６から読み出したＢ画像信号でＤＭＤ３４を駆動する（ステップＳ１３ｋ）。
【０１０８】
次いで、「３１５度＜ＣＡ＜３４５度」であるか否かを判定し（ステップＳ１３ｍ）、判定結果が肯定（ＹＥＳ）の場合に、ビデオＲＡＭ２６から読み出したＲ画像信号及びＢ画像信号に基づいて生成されたＭ画像信号でＤＭＤ３４を駆動する（ステップＳ１３ｎ）。
【０１０９】
図１３は、第三表示制御モードプログラムのフローチャートを示す図である。この図において、まず、カラーホイール３１の回転角を取り込み、変数ＣＡにセットする（ステップＳ１４ａ）。
【０１１０】
次いで、「０度＜ＣＡ＜６０度」であるか否かを判定し（ステップＳ１４ｂ）、判定結果が肯定（ＹＥＳ）の場合に、ビデオＲＡＭ２６から読み出したＲ画像信号でＤＭＤ３４を駆動する（ステップＳ１４ｃ）。
【０１１１】
次いで、「６０度＜ＣＡ＜１２０度」であるか否かを判定し（ステップＳ１４ｄ）、判定結果が肯定（ＹＥＳ）の場合に、ビデオＲＡＭ２６から読み出したＲ画像信号及びＧ画像信号に基づいて生成されたＹ画像信号でＤＭＤ３４を駆動する（ステップＳ１４ｅ）。
【０１１２】
次いで、「１２０度＜ＣＡ＜１８０度」であるか否かを判定し（ステップＳ１４ｆ）、判定結果が肯定（ＹＥＳ）の場合に、ビデオＲＡＭ２６から読み出したＧ画像信号でＤＭＤ３４を駆動する（ステップＳ１４ｇ）。
【０１１３】
次いで、「１８０度＜ＣＡ＜２４０度」であるか否かを判定し（ステップＳ１４ｈ）、判定結果が肯定（ＹＥＳ）の場合に、ビデオＲＡＭ２６から読み出したＧ画像信号及びＢ画像信号に基づいて生成されたＣ画像信号でＤＭＤ３４を駆動する（ステップＳ１４ｉ）。
【０１１４】
次いで、「２４０度＜ＣＡ＜３００度」であるか否かを判定し（ステップＳ１４ｊ）、判定結果が肯定（ＹＥＳ）の場合に、ビデオＲＡＭ２６から読み出したＢ画像信号でＤＭＤ３４を駆動する（ステップＳ１４ｋ）。
【０１１５】
次いで、「３００度＜ＣＡ＜３６０度」であるか否かを判定し（ステップＳ１４ｍ）、判定結果が肯定（ＹＥＳ）の場合に、ビデオＲＡＭ２６から読み出したＲ画像信号及びＢ画像信号に基づいて生成されたＭ画像信号でＤＭＤ３４を駆動する（ステップＳ１４ｎ）。
【０１１６】
図１４は、第四表示制御モードプログラムのフローチャートを示す図である。この図において、まず、カラーホイール３１の回転角を取り込み、変数ＣＡにセットする（ステップＳ１５ａ）。
【０１１７】
次いで、「３３０度＜ＣＡ＜９０度」であるか否かを判定し（ステップＳ１５ｂ）、判定結果が肯定（ＹＥＳ）の場合に、ビデオＲＡＭ２６から読み出したＲ画像信号でＤＭＤ３４を駆動する（ステップＳ１５ｃ）。
【０１１８】
次いで、「９０度＜ＣＡ＜２１０度」であるか否かを判定し（ステップＳ１５ｄ）、判定結果が肯定（ＹＥＳ）の場合に、ビデオＲＡＭ２６から読み出したＧ画像信号でＤＭＤ３４を駆動する（ステップＳ１５ｅ）。
【０１１９】
次いで、「２１０度＜ＣＡ＜３３０度」であるか否かを判定し（ステップＳ１５ｆ）、判定結果が肯定（ＹＥＳ）の場合に、ビデオＲＡＭ２６から読み出したＢ画像信号でＤＭＤ３４を駆動する（ステップＳ１５ｇ）。
【０１２０】
図１５は、以上の第一表示制御モード、第二表示制御モード、第三表示制御モード及び第四表示制御モードの概念的なタイムシーケンス図である。これらの図において、最上段はカラーホイールの位置（回転角）を表し、上から２段目はカラーホイールから取り出された照明光束を表している。また、その下のＰ１は第一表示制御モードを表し、Ｐ２は第二表示制御モードを表し、Ｐ３は第三表示制御モードを表し、Ｐ４は第四表示制御モードを表している。
【０１２１】
照明光束は、各モードに共通である。照明光束の色は、０度〜６０度は赤色（Ｒ）、６０度を越え且つ９０度未満は赤色（Ｒ）と黄色（Ｙ）の混色（Ｒ／Ｙ）、９０度では黄色（Ｙ）、９０度を超え、且つ１２０度未満は黄色（Ｙ）と緑色（Ｇ）の混色（Ｙ／Ｇ）、１２０度〜１８０度は緑色（Ｇ）、１８０度を越え且つ２１０度未満は緑色（Ｇ）とシアン（Ｃ）の混色（Ｇ／Ｃ）、２１０度ではシアン（Ｃ）、２１０度を超え、且つ２４０度未満はシアン（Ｃ）と青色（Ｂ）の混色（Ｃ／Ｂ）、２４０度〜３００度は青色（Ｂ）、３００度を越え且つ３３０度未満は青色（Ｂ）とマゼンタ（Ｍ）の混色（Ｂ／Ｍ）、３３０度ではマゼンタ（Ｍ）、３３０度を超え、且つ３６０度未満はマゼンタ（Ｍ）と赤色（Ｒ）の混色（Ｍ／Ｒ）となっている。
【０１２２】
四つの表示制御モード（Ｐ１〜Ｐ４）は、カラーホイール３１のＹ領域３１ｆ、Ｃ領域３１ｅ及びＭ領域３１ｄの駆動画像信号並びにその駆動時間の点で相違する。
【０１２３】
まず、第一表示制御モード（Ｐ１）を説明すると、このモードでは、カラーホイールの位置（回転角）が０度〜６０度の間ＤＭＤ３４をＲ画像信号で駆動し、同回転角が６０度〜１２０度の間ＤＭＤ３４をＷ画像信号で駆動し、同回転角が１２０度〜１８０度の間ＤＭＤ３４をＧ画像信号で駆動し、同回転角が１８０度〜２４０度の間ＤＭＤ３４をＷ画像信号で駆動し、同回転角が２４０度〜３００度の間ＤＭＤ３４をＢ画像信号で駆動し、同回転角が３００度〜３６０度の間ＤＭＤ３４をＷ画像信号で駆動する。すなわち、この第一表示制御モード（Ｐ１）では、Ｒ画像信号→Ｗ画像信号→Ｇ画像信号→Ｗ画像信号→Ｂ画像信号→Ｗ画像信号→・・・・の順でＤＭＤ３４を駆動し、且つ、各々のＷ画像信号の駆動時間は、回転角で６０度に相当する時間である。
【０１２４】
次に、第二表示制御モード（Ｐ２）を説明すると、このモードでは、カラーホイールの位置（回転角）が３４５度〜７５度の間ＤＭＤ３４をＲ画像信号で駆動し、同回転角が７５度〜１０５度の間ＤＭＤ３４をＹ画像信号で駆動し、同回転角が１０５度〜１９５度の間ＤＭＤ３４をＧ画像信号で駆動し、同回転角が１９５度〜２２５度の間ＤＭＤ３４をＣ画像信号で駆動し、同回転角が２２５度〜３１５度の間ＤＭＤ３４をＢ画像信号で駆動し、同回転角が３１５度〜３４５度の間ＤＭＤ３４をＭ画像信号で駆動する。すなわち、この第二表示制御モード（Ｐ２）では、Ｒ画像信号→Ｙ画像信号→Ｇ画像信号→Ｃ画像信号→Ｂ画像信号→Ｍ画像信号→・・・・の順でＤＭＤ３４を駆動し、且つ、各々のＹ画像信号、Ｃ画像信号及びＭ画像信号の駆動時間は、回転角で３０度に相当する時間である。
【０１２５】
次に、第三表示制御モード（Ｐ３）を説明すると、このモードでは、カラーホイールの位置（回転角）が０度〜６０度の間ＤＭＤ３４をＲ画像信号で駆動し、同回転角が６０度〜１２０度の間ＤＭＤ３４をＹ画像信号で駆動し、同回転角が１２０度〜１８０度の間ＤＭＤ３４をＧ画像信号で駆動し、同回転角が１８０度〜２４０度の間ＤＭＤ３４をＣ画像信号で駆動し、同回転角が２４０度〜３００度の間ＤＭＤ３４をＢ画像信号で駆動し、同回転角が３００度〜３６０度の間ＤＭＤ３４をＭ画像信号で駆動する。すなわち、この第三表示制御モード（Ｐ３）では、Ｒ画像信号→Ｙ画像信号→Ｇ画像信号→Ｃ画像信号→Ｂ画像信号→Ｍ画像信号→・・・・の順でＤＭＤ３４を駆動し、且つ、各々のＹ画像信号、Ｃ画像信号及びＭ画像信号の駆動時間は、回転角で６０度に相当する時間である。
【０１２６】
次に、第四表示制御モード（Ｐ４）を説明すると、このモードでは、カラーホイールの位置（回転角）が３３０度〜９０度の間ＤＭＤ３４をＲ画像信号で駆動し、同回転角が９０度〜２１０度の間ＤＭＤ３４をＧ画像信号で駆動し、同回転角が２１０度〜３３０度の間ＤＭＤ３４をＢ画像信号で駆動する。すなわち、この第四表示制御モード（Ｐ４）では、Ｒ画像信号→Ｇ画像信号→Ｂ画像信号→・・・・の順でＤＭＤ３４を駆動し、且つ、Ｗ画像信号やＹ画像信号、Ｃ画像信号及びＭ画像信号の駆動時間はゼロである。
【０１２７】
図１６は、第一表示制御モード（Ｐ１）のＣＩＥｘｙ色度図及び画像ごとの明るさの概念図である。この図において、色度図上の三角図形の大きさは、従来装置のもの（図３３参照）とほぼ同等である。また、Ｒ、Ｇ、Ｂ、Ｃ、Ｍ、Ｙ及びＷの各画像の明るさの比率も、「１：１：１：２：２：２：７．５」となり、これも従来装置の比率（図３３参照）とほぼ同等である。
したがって、この第一表示制御モード（Ｐ１）によれば、従来技術相当の明度と彩度の画像を得ることができる。
【０１２８】
図１７は、第二表示制御モード（Ｐ２）のＣＩＥｘｙ色度図及び画像ごとの明るさの概念図である。この図において、色度図上の三角図形の大きさは、従来装置のもの（図３３参照）よりも若干小さくなっている。また、Ｒ、Ｇ、Ｂ、Ｃ、Ｍ、Ｙ及びＷの各画像の明るさの比率は、「１．８：１．８：１．８：４．２：４．２：４．２：７．５」となっており、簡単化のために、値を四捨五入して「１．８」を「２」、「４．２」を「４」、「７．５」を「８」とすると、この比率は、「２：２：２：４：４：４：８」、つまり、「１：１：１：２：２：２：４」となる。
したがって、この第二表示制御モード（Ｐ２）によれば、第一表示制御モード（Ｐ１）に比べて、彩度が若干劣るものの、明度と彩度のバランスが取れた画像を得ることができる。
【０１２９】
図１８は、第三表示制御モード（Ｐ３）のＣＩＥｘｙ色度図及び画像ごとの明るさの概念図である。この図において、色度図上の三角図形の大きさは、従来装置のもの（図３３参照）とほぼ同等である。また、Ｒ、Ｇ、Ｂ、Ｃ、Ｍ、Ｙ及びＷの各画像の明るさの比率は、「１：１：１：３．５：３．５：３．５：７．５」となっており、簡単化のために、値を四捨五入して「３．５」を「３」、「７．５」を「８」とすると、この比率は、「１：１：１：３：３：３：８」となる。
したがって、この第三表示制御モード（Ｐ３）によれば、第二表示制御モード（Ｐ２）よりも彩度が若干高い、明度と彩度のバランスが取れた画像を得ることができる。
【０１３０】
図１９は、第四表示制御モード（Ｐ４）のＣＩＥｘｙ色度図及び画像ごとの明るさの概念図である。この図において、色度図上の三角図形の大きさは、従来装置のもの（図３３参照）よりも若干小さくなっている。また、Ｒ、Ｇ、Ｂ、Ｃ、Ｍ、Ｙ及びＷの各画像の明るさの比率は、「２．５：２．５：２．５：６：６：６：７．５」となっており、簡単化のために、値を四捨五入して「２．５」を「３」、「７．５」を「８」とすると、この比率は、「３：３：３：６：６：６：８」、つまり、「１：１：１：２：２：２：２．６」となる。
したがって、この第四表示制御モード（Ｐ４）によれば、第一〜第三表示制御モード（Ｐ１〜Ｐ３）に比べて、彩度がやや劣るものの、明度が高い画像を得ることができる。
【０１３１】
図２０は、第一表示制御モード、第二表示制御モード、第三表示制御モード及び第四表示制御モードの対比図である。この図において、縦軸は明度、横軸は彩度を表している。比較例として示す従来技術のものは彩度が高く、色再現性重視の用途向きであるが、本実施形態の第一表示制御モードも、この従来技術のものと同等の高い彩度が得られる。
【０１３２】
また、本実施形態の第二表示制御モードは、明度と彩度のバランスがよく、第三表示制御モードは補色が強調されており、さらに、本実施形態の第四表示制御モードは、明らかに明度が高い。
【０１３３】
したがって、色再現性重視の用途で使用する場合には、その色再現性の要求に合わせて、第一表示制御モード、第二表示制御モードまたは第三表示制御モードのいずれかを選択すればよく、また、明るさ重視の用途で使用する場合には、第四表示制御モードを選択すればよい。
【０１３４】
このように、本実施形態によれば、明度と彩度の組み合わせが異なる複数（ｎ個、ここではｎ＝４）の表示制御モード（第一表示制御モード、第二表示制御モード、第三表示制御モード及び第四表示制御モード）を備えたので、色再現性重視と明るさ重視のいずれの用途にも使用できるプロジェクタ１０を実現することができる。しかも、それらの表示制御モードは、明度や彩度が微妙に異なる三つの表示制御モード（第一表示制御モード、第二表示制御モード及び第三表示制御モード）を含むため、投影画像や環境に適合した最適な色調の表示制御モードを選択することができ、よりきめ細かな色再現性選択を行うことができる。
【０１３５】
＜第二実施形態＞
ところで、上記の第一実施形態では、図１５に示すように、Ｒ画像信号、Ｇ画像信号、Ｂ画像信号、Ｙ画像信号、Ｃ画像信号、Ｍ画像信号及びＷ画像信号の駆動タイミングを複数の表示制御モード毎に異ならせており、且つ、それらの駆動タイミングを、カラーホイール３１の所定の回転角（０度、６０度、７５度、９０度、１０５度、１２０度、１８０度、１９５度、２１０度、２２５度、２４０度、３００度、３１５度、３３０度、３４５度）に対応させているが、これに限定されない。本発明の課題、すなわち、冒頭で説明した従来装置では、たとえば、特定の色を強調したり、色合いを重視したり、色合いと色純度のバランスをとったり、または、色純度を優先させたりといった、人間の主観に関わるきめ細かな調整を行うことができないという問題点があったが、これを解決できる仕組みになっていればよい。
【０１３６】
以下、その仕組みに係る第二実施形態を説明する。
図２１及び図２５は、第二実施形態の制御プログラムの概略的なフローチャートを示す図である。この制御プログラムは、第一実施形態の図１５の制御プログラムと同様に、プロジェクタ１０の中央制御部２２で実行されるものである。
図示の制御プログラムを開始すると、まず、本体操作表示部１４の平面表示デバイス１４ａに複数の表示制御モードの選択画面（以下、メニュー画面）を表示する（ステップＳ１８）。
【０１３７】
図２２は、複数の表示制御モードを選択するためのメニュー画面の一例レイアウト図である。このメニュー画面１４ｃは、たとえば、適当に命名（図では“表示の設定”）されたタイトルオブジェクト１４ｄと、複数（ここでは二つ）のタブボタン（Ａタブボタン１４ｅ、Ｂタブボタン１４ｆ）を有するタブコントロールオブジェクト１４ｇとから構成されている。図示の状態は、Ａタブボタン１４ｅを選択した状態を示している。
【０１３８】
タブコントロールオブジェクト１４ｇには、複数のボタンオブジェクト１４ｈ、１４ｉ、１４ｊ、１４ｋ、１４ｍが表示されている。ボタンオブジェクト１４ｈのタイトルプロパティには、ボタンオブジェクト１４ｈに対応した制御モードの名称「固定１モード」および、その制御モードの簡単な説明を記した「黄色を優先します」のメッセージが設定される。ボタンオブジェクト１４ｉのタイトルプロパティには、ボタンオブジェクト１４ｉに対応した制御モードの名称「固定２モード」および、その制御モードの簡単な説明を記した「色バランスを優先します」のメッセージが設定される。ボタンオブジェクト１４ｊのタイトルプロパティには、ボタンオブジェクト１４ｊに対応した制御モードの名称「固定３モード」および、その制御モードの簡単な説明を記した「明るさを優先します」のメッセージが設定される。ボタンオブジェクト１４ｋのタイトルプロパティには、ボタンオブジェクト１４ｋに対応した制御モードの名称「固定４モード」および、その制御モードの簡単な説明を記した「赤を優先します」のメッセージが設定される。ボタンオブジェクト１４ｍのタイトルプロパティには、ボタンオブジェクト１４ｍに対応した制御モードの名称「マニュアルモード」および、その制御モードの簡単な説明を記した「自分で設定します」のメッセージが設定される。
【０１３９】
なお、Ｂタブボタン１４ｆを選択した場合も、同様に複数のボタンオブジェクトが表示されるようになっており、Ａタブボタン１４ｅとＢタブボタン１４ｆを切り替えることによって、多数の表示制御モードの中から所望の一つを選択できるようになっている。たとえば、Ｂタブボタン１４ｆを選択したときのボタンオブジェクトの数も５個とすると、トータルで１０個の表示制御モードの中から所望の一つを選択することができる。
【０１４０】
再び、図２１に戻り、ユーザによって表示モードが選択されると（ステップＳ１９）、つまり、図２２の複数のボタンオブジェクト１４ｈ、１４ｉ、１４ｊ、１４ｋ、１４ｍのいずれかが選択されると、次に、その選択モードが「マニュアルモード」であるか否か（ボタンオブジェクト１４ｍが選択されたか否か）を判定し（ステップＳ２０）、「マニュアルモード」でなければ、次に、「固定１モード」が選択されたか否か（ボタンオブジェクト１４ｈが選択されたか否か）を判定する（ステップＳ２１）。そして、「固定１モード」が選択された場合は、後述の“テーブル１の固定１の行をテーブル２へコピー”し（ステップＳ２２）、メニュー画面を閉じた後（ステップＳ２８）、制御プログラムを終了する。
【０１４１】
また、「固定１モード」の選択でなければ、次に、「固定２モード」が選択されたか否か（ボタンオブジェクト１４ｉが選択されたか否か）を判定し（ステップＳ２３）、「固定２モード」が選択された場合は、後述の“テーブル１の固定２の行をテーブル２へコピー”し（ステップＳ２４）、メニュー画面を閉じた後（ステップＳ２８）、制御プログラムを終了する。
【０１４２】
また、「固定２モード」の選択でなければ、次に、「固定３モード」が選択されたか否か（ボタンオブジェクト１４ｊが選択されたか否か）を判定し（ステップＳ２５）、「固定３モード」が選択された場合は、後述の“テーブル１の固定３の行をテーブル２へコピー”し（ステップＳ２６）、メニュー画面を閉じた後（ステップＳ２８）、制御プログラムを終了する。
【０１４３】
最後に、「固定３モード」の選択でなければ、「固定４モード」が選択された（ボタンオブジェクト１４ｋが選択された）ものとみなし、後述の“テーブル１の固定４の行をテーブル２へコピー”し（ステップＳ２７）、メニュー画面を閉じた後（ステップＳ２８）、制御プログラムを終了する。
【０１４４】
図２３（ａ）は、テーブル１の概念構造図、図２４は、テーブル２の概念構造図である。これらのテーブル１及びテーブル２は、記憶部２１の内部に不揮発的且つ書き換え可能に記憶されているものである。
【０１４５】
まず、図２３（ａ）を参照しながらテーブル１の構造を説明する。テーブル１は、図２２のメニュー画面１４ｃで選択可能な表示制御モード（固定１モード、固定２モード、固定３モード、固定４モード、マニュアルモード）の種類に対応したＬ１〜Ｌ５の行と、ホットスポットの透過光が混色する混色期間となる、カラーホイール３１の各混色分割領域に対応した番号Ｎを示す大分類列と、各々の大分類列をさらに５つに細分化したｍ、ａ、ｂ、ｃ及びｄの小分類列とからなる。ここで、カラーホイール３１の各混色分割領域に対応した番号Ｎの値（Ｎ＝１、Ｎ＝２、Ｎ＝３、Ｎ＝４、Ｎ＝５、Ｎ＝６、Ｎ＝６）は、Fig３Ａに示すＲ領域３１ａとＹ領域３１ｆの混色領域、Ｙ領域３１ｆとＧ領域３１ｂの混色領域、Ｇ領域３１ｂとＣ領域３１ｅの混色領域、Ｃ領域３１ｅとＢ領域３１ｃの混色領域、Ｂ領域３１ｃとＭ領域３１ｄの混色領域、Ｍ領域３１ｄとＲ領域３１ａの混色領域Ｒ領域３１ａ、Ｙ領域３１ｆ、Ｇ領域３１ｂ、Ｃ領域３１ｅ、Ｂ領域３１ｃ、Ｍ領域３１ｄにそれぞれ対応する。ここで、小分類列の“ｍ”の格納値（〔Ａ〕又は〔Ｂ〕）は、図２２のメニュー画面１４ｃのＡタブボタン１４ｅ及びＢタブボタン１４ｆの選択情報を表している。また、小分類列の“ａ”、“ｂ”、“ｃ”、“ｄ”の格納値は、カラーホイール３１の混色分割領域に対する画像信号の駆動タイミング（回転角）を表している。
【０１４６】
図２３（ｂ）は、小分類列の“ａ”、“ｂ”、“ｃ”、“ｄ”の格納値の概念図である。この図において、横長の帯状図形は、カラーホイール３１から取り出される光色を表しており、右下がり斜線で区切られた左側の図形が一の分光領域の光、同斜線で区切られた右側の図形が一の分光領域に隣接する二の分光領域の光である。たとえば、一の分光領域の光をＲ領域３１ａの「赤色（Ｒ）」とし、二の分光領域の光をＹ領域３１ｆの「黄色（Ｙ）」とすると、斜線の領域では赤色から徐々に黄色へと変化する混色（Ｒ／Ｙ）が得られる。小分類列の“ａ”、“ｂ”、“ｃ”、“ｄ”の格納値（便宜的にａ′、ｂ′、ｃ′、ｄ′又はａ″、ｂ″、ｃ″、ｄ″）は、図示の混色領域（Ｒ→Ｒ／Ｙ→Ｙ）における所望画像信号の駆動タイミングを任意に前後させるためのものである。
【０１４７】
すなわち、小分類列の“ａ”は図示の混色領域（Ｒ→Ｒ／Ｙ→Ｙ）における所望画像信号の駆動開始タイミングを規定し、小分類列の“ｄ”は図示の混色領域（Ｒ→Ｒ／Ｙ→Ｙ）における所望画像信号の駆動終了タイミングを規定する。また、小分類列の“ｂ”及び“ｃ”は図示の混色領域（Ｒ→Ｒ／Ｙ→Ｙ）における所望画像信号の途中の駆動終了と駆動再開のタイミングを規定する。
【０１４８】
たとえば、カラーホイール３１の各混色領域に対応した番号Ｎ＝１の大分類列においては、“ａ”＝６０度、“ｂ”＝“ｃ”＝“ｄ”＝９０度とすると共に、対象画像信号をＷ画像信号とすれば、前記の第一実施形態の第一制御モード（図１５のＰ１参照）と同じ制御を行うことができる。また、“ａ”＝“ｂ”＝“ｃ”＝“ｄ”＝７５度とすると共に、対象画像信号をＹ画像信号とすれば、前記の第一実施形態の第二制御モード（図１５のＰ２参照）と同じ制御を行うことができる。
【０１４９】
また、“ａ”＝“ｂ”＝“ｃ”＝“ｄ”＝６０度とすると共に、対象画像信号をＹ画像信号とすれば、前記の第一実施形態の第三制御モード（図１５のＰ３参照）と同じ制御を行うことができる。また、“ａ”＝“ｂ”＝“ｃ”＝“ｄ”＝９０度とすれば、前記の第一実施形態の第四制御モード（図１５のＰ４参照）と同じ制御を行うことができる。
【０１５０】
テーブル１の各行Ｌ１〜Ｌ４の小分類列（“ａ”、“ｂ”、“ｃ”、“ｄ”）に、各々の制御モードの角度を予め格納しておけばよい。たとえば、上記した様にカラーホイール３１の分割数Ｎに対応したＮ＝１の大分類列においては、固定１の行（Ｌ１）の小分類列（“ａ”、“ｂ”、“ｃ”、“ｄ”）に“ａ”＝６０度、“ｂ”＝“ｃ”＝“ｄ”＝９０度を格納し、また、固定２の行（Ｌ２）の小分類列（“ａ”、“ｂ”、“ｃ”、“ｄ”）に“ａ”＝“ｂ”＝“ｃ”＝“ｄ”＝７５度を格納し、また、固定３の行（Ｌ３）の小分類列（“ａ”、“ｂ”、“ｃ”、“ｄ”）に“ａ”＝“ｂ”＝“ｃ”＝“ｄ”＝６０度を格納し、また、固定４の行（Ｌ４）の小分類列（“ａ”、“ｂ”、“ｃ”、“ｄ”）に“ａ”＝“ｂ”＝“ｃ”＝“ｄ”＝９０度を格納しておけばよい。このようにすると、図２２のメニュー画面１４ｃで、固定１モード、固定２モード、固定３モード又は固定４モードのいずれかを選択するだけで、前記第一実施形態の四つの制御モード（Ｐ１〜Ｐ４）の一つを任意に実行することができる。
【０１５１】
プロジェクタ１０における実際の表示制御は、図２４のテーブルに２に従って行われる。このテーブル２は、上記のテーブル１の一つの行と同じ構造を有している。つまり、テーブル１の選択行（Ｌ１〜Ｌ５のいずれか）の値がコピーされる一つの行（現設定の行）Ｌ１′と、カラーホイール３１の各混色領域に対応した番号Ｎ＝１、Ｎ＝２、Ｎ＝３・・・・Ｎ＝６の大分類列と、各々の大分類列をさらに５つに細分化したｍ、ａ、ｂ、ｃ及びｄの小分類列とからなる。
【０１５２】
したがって、たとえば、図２２のメニュー画面１４ｃで固定１モードが選択された場合には、このテーブル２に、テーブル１の固定１の行（Ｌ１）の値がコピーされ、プロジェクタ１０は、テーブル２の現設定の行（Ｌ１′）にコピーされた“ｍ”、“ａ”、“ｂ”、“ｃ”及び“ｄ”の値に従って所要の表示制御を行う。
【０１５３】
このように、本題に実施形態では、テーブル１の各行（固定１〜固定４）の値をテーブル２にコピーして表示制御を行うことができるが、かかる制御は前記の第一実施形態と同様に固定値に基づくものであって、前記の第一実施形態と大差はない。本題に実施形態における特徴は、設定値を任意に変更できるようにしたマニュアルモードにある。
【０１５４】
すなわち、図２２のメニュー画面１４ｃでマニュアルモード（ボタンオブジェクト１４ｍ）が選択されたとき、図２１のステップＳ２０の判定結果が“ＹＥＳ”となり、図２５のフローチャートに分岐する。このフローチャートでは、まず、マニュアル設定を行うか又はその設定値をテーブル１に保存するかのユーザ操作を受け付け（ステップＳ２９）、そのユーザ操作を判定する（ステップＳ３０）。そして、マニュアル設定を行う場合には、カラーホイール３１の分割数に対応したループ変数Ｎを初期化した後（ステップＳ３１）、以下のループ処理を実行する。
【０１５５】
このループ処理では、中央制御部２２は、Ｎを１インクリメントし（ステップＳ３２）、ａ座標〜ｄ座標のユーザ入力を受け付ける（ステップＳ３４〜ステップＳ３７）。そして、中央制御部２２は、Ｎの値がカラーホイールの各混色領域に対応した番号Ｎの最大数（Ｎｍａｘ＝６）に達したか否かを判定し（ステップＳ３８）、達していなければ以上のループ（ステップＳ３２〜ステップＳ３７）を繰り返す一方、達していればループを抜ける。そして、中央制御部２２は、Ｎ＝１〜Ｎ＝６までの各ユーザ入力、すなわち、表示設定〔Ａ〕又は〔Ｂ〕、およびａ座標〜ｄ座標を、テーブル１の手動（マニュアルモード）の行（Ｌ５）に保存する（ステップＳ３９）。そして中央制御部２２は、テーブル１の保存行（Ｌ５）をテーブル２へコピーして（ステップＳ４０）、図２１のフローチャートに復帰する。
【０１５６】
このように、本第二実施形態では、テーブル１にマニュアルモード用の行（Ｌ５）を設け、この行（Ｌ５）の値、つまり、“ｍ”、“ａ”、“ｂ”、“ｃ”及び“ｄ”をユーザの所望により任意に設定できるようにしたので、前記の第一実施形態に比べて表示制御の柔軟性向上を図ることができる。
【０１５７】
すなわち、前記の第一実施形態では、カラーホイール３１の所定の回転角（０度、６０度、７５度、９０度、１０５度、１２０度、１８０度、１９５度、２１０度、２２５度、２４０度、３００度、３１５度、３３０度、３４５度）のタイミングでＷ画像信号やＹ画像信号等を表示していたが、本第二実施形態の「マニュアルモード」では、これらの回転角に固定されずに自由なタイミングで画像の表示を行うことができる。このため、ユーザ個々の好みや、投影画像の内容、又は、プロジェクタ１０の使用環境等に適合した、よりきめ細かで柔軟な表示制御を行うことができる。
【０１５８】
＜第三実施形態＞
なお、以上の実施形態では、６分割構造のカラーホイール３１を例にして説明したが、本発明の思想はこの「分割数」に限定されない。カラーホイールの一の分光領域と二の分光領域との間の境界における表示制御が発明のポイントであり、カラーホイールは、少なくとも異なる二つの色の分光特性を持つ第１領域と第２領域とを有するものであればよい。
【０１５９】
以上の実施例では、ホットスポットの大きさに対応するカラーホイールの中心角を３０度としていたが、この場合の混色期間（異なる分光特性を持つ領域（セグメント）を、ホットスポットが通過している期間）は、カラーホイールが一周回転する期間と比較して通常、３セグメントのカラーホイールで１／４、４セグメントのカラーホイールで１／３、６セグメントのカラーホイールだと１／２もの期間が混色期間となる。
【０１６０】
つまり、図３０〜図３３に記載したようなＲＧＢＷで構成する４セグメントのカラーホイールにおいても、本発明は適用可能である。
【０１６１】
また、ホットスポットの大きさをあまり小さくすると、ホットスポットの温度が高くなりすぎてしまい、カラーホイールが熱破損することがあるので、通常本発明のようにそれなりの大きさになるようにする。
【０１６２】
よって、本発明にかかわる制御方法は、多くのセグメントを有するカラーホイールを使用しているとき程有効であり、つまり上記したような６セグメントのカラーホイール使用時においては特に有効であるものである。
【０１６３】
また、３セグメントのカラーホイールを使用しているときであっても、上記の場合は、１／４もの期間において混色期間となっているので、やはり、本発明を適用することはメリットがある。
【０１６４】
以下、このポイントに的を絞って説明する。
なお、本実施例に記載する制御方法自体は、実施例２に記載したものと全く同一のものであり、以下ではその方法の詳細を説明している。
【０１６５】
図２６は、第三実施形態に適用するカラーホイールの構造図である。図示のカラーホイール３８は、少なくとも、一の分光領域（以下、第１領域という）３９と、この第１領域３９と異なる色調の二の分光領域（以下、第２領域という）４０とを有する。カラーホイール３８の半径上の固定位置には、白色のスポット光４１が照射されており、カラーホイール３８の回転に伴い、このカラーホイール３８から第１領域３９の色（便宜的に赤色Ｒとする）、第１領域３９の色Ｒと第２領域４０の色（便宜的に黄色Ｙとする）との混色Ｒ／Ｙ、及び、第２領域４０の色Ｙが順次に取り出される。
【０１６６】
図２７は、カラーホイール３８の駆動タイミング図である。ここでは、二種類の駆動タイミングが示されている。二種類の駆動タイミングは、いずれも、前記のテーブル２の“ａ”、“ｂ”、“ｃ”及び“ｄ”によって規定されるタイミングで所要の画像信号を表示しているが、その画像信号に違いがある。つまり、（ａ）の駆動タイミングでは“ａ”までＲ画像信号を表示し、“ａ”から“ｂ”までＷ画像信号を表示し、“ｂ”から“ｃ”まで黒画像信号を表示し、“ｃ”から“ｄ”までＷ画像信号を表示し、“ｄ”以降、Ｙ画像信号を表示しているのに対して、（ｂ）の駆動タイミングでは“ａ”までＲ画像信号を表示し、“ａ”から“ｂ”まで黒画像信号を表示し、“ｂ”から“ｃ”までＷ画像信号を表示し、“ｃ”から“ｄ”まで黒画像信号を表示し、“ｄ”以降、Ｙ画像信号を表示している。
【０１６７】
第二実施形態と同様に、マニュアルモードを選択した場合は、“ａ”〜“ｄ”を自由に設定することができる。たとえば、（ａ）の駆動タイミングにおいて、“ｂ”と“ｃ”を同じ値にすれば、黒画像信号を表示しないようにすることができ、“ａ”〜“ｄ”の全部でＷ画像信号を表示することができる。また、同タイミングにおいて、“ａ”の値を大きくすれば（図面の右側にずらせば）、Ｒ画像信号の割合を増やすことができ、その逆に、“ａ”の値を小さくすれば（図面の左側にずらせば）、Ｒ画像信号の割合を減少させることができる。また、同タイミングにおいて、“ｄ”の値を小さくすれば（図面の左側にずらせば）、Ｙ画像信号の割合を増やすことができ、その逆に、“ｄ”の値を大きくすれば（図面の右側にずらせば）、Ｙ画像信号の割合を減少させることができる。
【０１６８】
同様に、（ｂ）の駆動タイミングにおいて、“ｂ”と“ｃ”を同じ値にすれば、Ｗ画像信号を表示しないようにすることができ、“ａ”〜“ｄ”の全部で黒画像信号を表示することができる。また、同タイミングにおいて、“ａ”の値を大きくすれば（図面の右側にずらせば）、Ｒ画像信号の割合を増やすことができ、その逆に、“ａ”の値を小さくすれば（図面の左側にずらせば）、Ｒ画像信号の割合を減少させることができる。また、同タイミングにおいて、“ｄ”の値を小さくすれば（図面の左側にずらせば）、Ｙ画像信号の割合を増やすことができ、その逆に、“ｄ”の値を大きくすれば（図面の右側にずらせば）、Ｙ画像信号の割合を減少させることができる。
【０１６９】
図２８は、第三実施形態のいくつかの調整結果例を示す図である。まず、（ａ）は、“ａ”〜“ｄ”を、第１領域３９と第２領域４０の境界から前に所定量（スポット光４１の直径の半分）だけずらした例である。このようにすると、第１領域３９と第２領域４０の境界を中心にしてスポット光４１の直径分、第２領域４０の色（Ｙ）の割合が増えるので、その色（Ｙ）が強調される。
【０１７０】
次に、（ｂ）は、“ａ”〜“ｄ”を、第１領域３９と第２領域４０の境界に揃えた例である。このようにすると、混色領域４２の図に対して左側半分（スポット光４１の直径の半分）が第１領域３９と同一の色（Ｒ）になり、且つ、混色領域４２の図に対して右側半分（スポット光４１の直径の半分）が第２領域４０と同一の色（Ｙ）になる。したがって、第１領域３９の色（Ｒ）と第２領域４０の色（Ｙ）が均等に増え、色合いが改善される。
【０１７１】
次に、（ｃ）は、“ｂ”と“ｃ”を第１領域３９と第２領域４０の境界に揃え、且つ、“ａ”を第１領域３９と第２領域４０の境界より前にずらすとともに、“ｄ”を第１領域３９と第２領域４０の境界より後にずらし、“ａ”〜“ｄ”の間をＷ画像信号で駆動するようにした例である。このようにすると、第１領域３９と第２領域４０の境界の左右（“ａ”〜“ｄ”）がＷ表示になるとともに、そのＷ表示の前が第１領域３９と同一の色（Ｒ）になり、且つ、そのＷ表示の後ろが第２領域４０と同一の色（Ｙ）になる。したがって、第１領域３９の色（Ｒ）と第２領域４０の色（Ｙ）が増えた分だけ色合いが改善され、さらに、Ｗ表示の分だけ輝度も改善される。
【０１７２】
次に、（ｄ）は、“ａ”と“ｂ”を第１領域３９と第２領域４０の境界から図に対して左方向に所定量（スポット光４１の直径の半分の長さ）だけずらすとともに、“ｃ”と“ｄ”を第１領域３９と第２領域４０の境界から後に所定量（スポット光４１の直径の半分）だけずらし、且つ、“ａ”及び“ｂ”から“ｃ”及び“ｄ”までを黒画像信号で駆動するようにした例である。このようにすると、“ａ”及び“ｂ”から“ｃ”及び“ｄ”までがすべて黒表示なる。したがって、余計な色が出ないので色純度が高められる。
【０１７３】
次に、（ｅ）は、“ａ”と“ｂ”を第１領域３９と第２領域４０の境界から前に所定量（スポット光４１の直径の半分）だけずらすとともに、“ｃ”と“ｄ”を第１領域３９と第２領域４０の境界から図に対して右方向に所定量（スポット光４１の直径の半分の長さ）だけずらし、且つ、“ａ”及び“ｂ”から“ｃ”及び“ｄ”までをＷ画像信号で駆動するようにした例である。このようにすると、“ａ”及び“ｂ”から“ｃ”及び“ｄ”までがすべてＷ表示になる。したがって、輝度が最大に高められる。
【０１７４】
上記において、Ｗ画像を表示する箇所については、Ｗ画像の変わりに、輝度画像を表示する構成であっても良い。そのような場合、画像を明るいだけでなく、コントラストの高い画像を表示することができる。
【０１７５】
このように、第三実施形態によれば、ユーザの所望に応じて、特定の色を強調したり（図２８（ａ））、色合いを改善したり（図２８（ｂ））、色合いと色純度のバランスをとったり（図２８（ｃ））、色合いと輝度のバランスをとったり（図２８（ｄ））、色純度を高めたり（図２８（ｅ））、または、輝度を最大に高めたり（図２８（ｆ））といった調整を自在に行うことができる。しかも、それらの調整は、第二実施形態の「マニュアルモード」によって、“ａ”“ｂ”、“ｃ”及び“ｄ”に任意の値を自由に設定できる。そのため、たとえば、特定の色の“強調度合い”、色合いの“改善度合い”、色合いと色純度の“バランス度合い”、色合いと輝度の“バランス度合い”、または、輝度の“向上度合い”などをきわめて柔軟に設定することができ、ユーザ個々の好みや、投影画像の内容、又は、プロジェクタ１０の使用環境等に適合した、よりきめ細かで柔軟な表示制御を行うことができる。
【０１７６】
なお、投影型表示装置１０の中央制御部２２は、専用のシステムによらず、通常のコンピュータシステムを用いて実現可能である。例えば、前記の動作を実行するためのコンピュータプログラムを、コンピュータが読みとり可能な記録媒体（フレキシブルディスク、ＣＤ−ＲＯＭ、ＤＶＤ−ＲＯＭ等）に格納して配布し、当該コンピュータプログラムをコンピュータにインストールすることにより、前記の処理を実行する中央制御部２１を構成してもよい。また、インターネット等の通信ネットワーク上のサーバ装置が有する記憶装置に当該コンピュータプログラムを格納しておき、通常のコンピュータシステムがダウンロード等することで本発明の中央制御部２１を構成してもよい。
【０１７７】
また、前記の各機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【０１７８】
また、搬送波に上述のコンピュータプログラムを重畳し、通信ネットワークを介して配信することも可能である。
【図面の簡単な説明】
【０１７９】
【図１】プロジェクタ１０の外観図である。
【図２】プロジェクタ１０の内部ブロック図である。
【図３】カラーホイール３１の正面図である。
【図４】カラーホイール３１の各領域の分光特性を示す図である。
【図５】光源３０から照射されるスポット光Ｐａとカラーホイール３１との対応関係図である。
【図６】カラーホイール３１の回転状態を示す図（１／３）である。
【図７】カラーホイール３１の回転状態を示す図（２／３）である。
【図８】カラーホイール３１の回転状態を示す図（３／３）である。
【図９】カラーホイール３１の回転角変化とそのカラーホイール３１から取り出される光色の対応関係図である。
【図１０】第一実施形態におけるプロジェクタ１０の中央制御部２２で実行される制御プログラムの概略的なフローチャートを示す図である。
【図１１】第一実施形態における第一表示制御モードプログラムのフローチャートを示す図である。
【図１２】第一実施形態における第二表示制御モードプログラムのフローチャートを示す図である。
【図１３】第一実施形態における第三表示制御モードプログラムのフローチャートを示す図である。
【図１４】第一実施形態における第四表示制御モードプログラムのフローチャートを示す図である。
【図１５】第一実施形態における第一〜第四表示制御モードの概念的なタイムシーケンス図である。
【図１６】第一実施形態における第一表示制御モードのＣＩＥｘｙ色度図及び画像ごとの明るさの概念図である。
【図１７】第一実施形態における第二表示制御モードのＣＩＥｘｙ色度図及び画像ごとの明るさの概念図である。
【図１８】第一実施形態における第三示制御モードのＣＩＥｘｙ色度図及び画像ごとの明るさの概念図である。
【図１９】第一実施形態における第四示制御モードのＣＩＥｘｙ色度図及び画像ごとの明るさの概念図である。
【図２０】第一実施形態における第一〜第四表示制御モードの対比図である。
【図２１】第二実施形態の制御プログラムの概略的なフローチャートを示す図（１／２）である。
【図２２】複数の表示制御モードを選択するためのメニュー画面の一例レイアウト図である。
【図２３】テーブル１の概念構造図及び小分類列の“ａ”、“ｂ”、“ｃ”、“ｄ”の格納値の概念図である。
【図２４】テーブル２の概念構造図
【図２５】第二実施形態の制御プログラムの概略的なフローチャートを示す図（２／２）である。
【図２６】第三実施形態に適用するカラーホイールの構造図である。
【図２７】カラーホイール３８の駆動タイミング図である。
【図２８】第三実施形態のいくつかの調整結果例を示す図である。
【図２９】ＣＩＥ色度図である。
【図３０】従来装置に用いられているカラーホイールの構造図及びスポット光３が領域の境界線４を越えるときの様子を示す図である。
【図３１】従来装置におけるカラーホイールの駆動タイミング図である。
【図３２】越境状態にあるときにもＷ画像で駆動するようにしたカラーホイールの駆動タイミング図である。
【図３３】従来装置のＣＩＥｘｙ色度図及び画像ごとの明るさの概念図である。
【符号の説明】
【０１８０】
Ｐａ  スポット光
１０  プロジェクタ（投影型表示装置）
２１  中央制御部（画像変調タイミング調整手段）
２９  光源
３０  カラーホイール（色分割手段）
３０ａ  Ｒ領域（原色領域）
３０ｂ  Ｇ領域（原色領域）
３０ｃ  Ｂ領域（原色領域）
３０ｄ  Ｍ領域（補色領域）
３０ｅ  Ｃ領域（補色領域）
３０ｆ  Ｙ領域（補色領域）
３３  ＤＭＤ（変調手段）
３８  カラーホイール（色分割手段）
３９  第１領域（第１のフィルタ）
４０  第２領域（第２のフィルタ）
【図１】
0005211443.tif 000002
【図２】
0005211443.tif 000003
【図３】
0005211443.tif 000004
【図４】
0005211443.tif 000005
【図５】
0005211443.tif 000006
【図６】
0005211443.tif 000007
【図７】
0005211443.tif 000008
【図８】
0005211443.tif 000009
【図９】
0005211443.tif 000010
【図１０】
0005211443.tif 000011
【図１１】
0005211443.tif 000012
【図１２】
0005211443.tif 000013
【図１３】
0005211443.tif 000014
【図１４】
0005211443.tif 000015
【図１５】
0005211443.tif 000016
【図１６】
0005211443.tif 000017
【図１７】
0005211443.tif 000018
【図１８】
0005211443.tif 000019
【図１９】
0005211443.tif 000020
【図２０】
0005211443.tif 000021
【図２１】
0005211443.tif 000022
【図２２】
0005211443.tif 000023
【図２３】
0005211443.tif 000024
【図２４】
0005211443.tif 000025
【図２５】
0005211443.tif 000026
【図２６】
0005211443.tif 000027
【図２７】
0005211443.tif 000028
【図２８】
0005211443.tif 000029
【図２９】
0005211443.tif 000030
【図３０】
0005211443.tif 000031
【図３１】
0005211443.tif 000032
【図３２】
0005211443.tif 000033
【図３３】
0005211443.tif 000034